(57)【要約】      （修正有）【課題】電気設備の絶縁ガスとして有用な低い地球温暖化係数（ＧＷＰ）を有するガス状誘電性化合物の提供。【解決手段】五フッ化リン、四フッ化ケイ素、トランス−１，３，３，３テトラフロオロプロペン（トランス−ＨＦＯ−１２３４ｚｅ）及び２，３，３，３−テトラフルオロプロペン（ＨＦＯ−１２３４ｙｆ）からなる群から選ばれる少なくとも１種の誘電性ガス状化合物である絶縁ガスによって絶縁される電気設備。【選択図】なし【特許請求の範囲】
【請求項１】
次の特性を示す誘電性ガス状化合物：
約−２０℃〜約−２７３℃の範囲内の沸点；
オゾン破壊が少ない、全くない；
約２２，２００より低いＧＷＰ；
負の標準生成エンタルピー（ｄＨｆ＜０）により判定される、化学的安定性；
その誘電性ガスが漏れた場合に、有効希釈濃度が、使用されている環境におけるそれの
ＰＥＬを越えないような毒性レベル；および
空気よりも大きい絶縁耐力。
【請求項２】
請求項１に従う誘電性ガス状化合物であって、その誘電性ガス状化合物が次のものからな
るグループから選択される少なくとも１種類の化合物である誘電性ガス状化合物：
五フッ化ヒ素
アルシン
四フッ化二ホウ素
ジボラン
過塩素酸、２−クロロ−１，１，２，２−テトラフルオロエチルエステル（９ＣＩ）
過塩素酸、１，２，２−トリクロロ−１，２−ジフルオロエチルエステル
トリフルオロアセチル  クロリド
トリフルオロメチルイソシアニド（ＣＦ３−ＮＣ）
トリフルオロメチル  イソシアニド
トリフルオロ−ニトロソ−エテン／／トリフルオロ−ニトロソ−エテン（ｔｒｉｆｌｕ
ｏｒｏ−ｎｉｔｒｏｓｏ−ｅｔｈｅｎｅ／／Ｔｒｉｆｌｕｏｒ−ｎｉｔｒｏｓｏ−ａｅｔ
ｈｅｎ）
テトラフルオロエテン
３，３，４，４−テトラフルオロ−３，４−ジヒドロ−［１，２］ジアゼト
（ジフルオロアミノ）ジフルオロアセトニトリル
テトラフルオロオキシラン
トリフルオロアセチル  フルオリド
ペルフルオロメチルフルオロホルミアート（Ｐｅｒｆｌｕｏｒｍｅｔｈｙｌｆｌｕｏｒ
ｆｏｒｍｉａｔ）
トリフルオロ−アセチル  ハイポフルオライト
ペルフルオロ−２−アザ−１−プロペン
ペルフルオロ−２−アザ−１−プロペン（ドイツ語）
Ｎ−フルオロ−テトラフルオロ−１−エタニミン（ドイツ語）
３，３−ジフルオロ−２−トリフルオロメチル−オキサジリジン
ビス−トリフルオロメチル−ジアゼン／／ヘキサフルオロ−＃シス！−アゾメタン
フルオロオキシペンタフルオロエタン
ビス−トリフルオロメチル  ペルオキシド
１，１−ビス（フルオロオキシ）テトラフルオロエタン
ヘキサフルオロジメチル  スルフィド
３−フルオロ−３＃Ｈ！−ジアジリン−３−カルボニトリル
エチン
１，２，２−トリフルオロ−アジリジン
ケテン
（ジフルオロ）ビニルボラン
（ジフルオロ）ビニルボラン（ドイツ語）
トリフルオロ−ビニル−シラン
エチニルシラン
エチル−ジフルオロ−ボラン
エチル−ジフルオロ−ボラン（ドイツ語）
メチル−メチレン−アミン
ジメチルエーテル
ビニル−シラン
ジメチルシラン
クロロエチン
フルオロエチン／／フルオロ−アセチレン
エタンジニトリル
テトラフルオロプロピン／／１，３，３，３−テトラフルオロプロピン
ヘキサフルオロ−オキセタン
トリフルオロ（トリフルオロメチル）オキシラン
１，１，１，３，３，３−ヘキサフルオロプロパノン
ペンタフルオロ−プロピオニル  フルオリド／／ペルフルオロプロピオニル  フルオリ
ド
トリフルオロメチル  トリフルオロビニルエーテル
１−プロピン
シクロプロパン
プロパン
トリメチルボラン
シアノケテン
ブタトリエン
シアノ−ビスペンタフルオロエチル−ホスフィン
トリメチル−１，１，２，２−テトラフルオロエチルシラン
メチル  ジボラン
メチルジボラン（ドイツ語）
カルボニル  ブロミド  フルオリド
クロロ−ジフルオロ−ニトロソ−メタン／／クロロ−ジフルオロ−ニトロソ−メタン（
ｃｈｌｏｒｏ−ｄｉｆｌｕｏｒｏ−ｎｉｔｒｏｓｏ−ｍｅｔｈａｎｅ／／Ｃｈｌｏｒ−ｄ
ｉｆｌｕｏｒ−ｎｉｔｒｏｓｏ−ｍｅｔｈａｎ）
クロロペルオキシトリフルオロメタン
カルボニルクロリド−フルオリド
カルボニクロリドフルオリド（Ｃａｒｂｏｎｙｃｈｌｏｒｉｄｆｌｕｏｒｉｄ）（ド
イツ語）
３，３−ジフルオロ−３＃Ｈ！−ジアジリン
ジフルオロ  ジアゾメタン
ジフルオロジアゾメタン（ドイツ語）
カルボニル  フルオリド
ジフルオロジオキシラン
ジフルオロ−（３−フルオロ−３＃Ｈ！−ジアジリン−３−イル）−アミン
トリフルオロメチルアジド
トリフルオロメチルアジド（ドイツ語）
テトラフルオロ−ジアジリジン
フルオロペルオキシトリフルオロメタン
ビス（フルオロオキシ）ジフルオロメタン
トリフルオロメチル−ホスホニルフルオリド
フッ化シアン
トリフルオロメチルホスファン（ドイツ語）
ジアゾメタン
ホルムアルデヒド／／ホルマリン
（メチル）ジフルオロボラン
（メチル）ジフルオロボラン（ドイツ語）
クロロメタン
メチルホスホナス酸  ジフルオリド／／ジフルオロ−メチル−ホスフィン
トリフルオロ−メトキシ−シラン
メチルハイポフルオリド
メタン
メチルシラン
＃Ｓｉ！−ブロモ−＃Ｓｉ！，＃Ｓｉ！’−メタンジイル−ビス−シラン
＃Ｓｉ！−ヨード−＃Ｓｉ！，＃Ｓｉ！’−メタンジイル−ビス−シラン
ジフルオロメチルニトライト
トリフルオロメタノール
ホルミルフルオリド
シアン酸
塩素
フッ化塩素
三酸化フッ化塩素
カーボン  オキシド  セレニド／／コーレンオキシドセレニド（ｃａｒｂｏｎ  ｏｘｉ
ｄｅ  ｓｅｌｅｎｉｄｅ／／Ｋｏｈｌｅｎｏｘｉｄｓｅｌｅｎｉｄ）
フッ素
ジフルオロシラン
酸化フッ素
過酸化フッ素
フッ化スルフリル
二フッ化硫黄
三フッ化酸化リン
三フッ化硫化リン
テトラフルオロホスホラン
テトラフルオロヒドラジン
四フッ化硫黄
ヘキサフルオロ  ジシロキサン
ヘキサフルオロジシロキサン（ドイツ語）
フッ化ニトリル
水素
セレン化水素
三水素化リン
水素化ゲルマニウム
シラン
四水素化スズ
酸素
オゾン
一リン化アンチモン
一リン化二ケイ素
ラドン
アルゴン
トリフルオロボラン
臭化水素
ブロモペンタフルオロエタン
クロロトリフルオロエテン
トリフルオロアセトニトリル
トリフルオロメチル  イソシアネート
トリフルオロメチル  チオカルボニル  フルオリド
トリフルオロメチルチオカルボニルフルオリド（ドイツ語）
ペンタフルオロ−ニトロソ−エタン／／ペンタフルオロ−ニトロソ−エタン（ｐｅｎｔ
ａｆｌｕｏｒｏ−ｎｉｔｒｏｓｏ−ｅｔｈａｎｅ／／Ｐｅｎｔａｆｌｕｏｒ−ｎｉｔｒｏ
ｓｏ−ａｅｔｈａｎ）
（トリフルオロメチル−カルボニル）−ジフルオロ−アミン
ヘキサフルオロエタン
ビス−トリフルオロメチル−ニトロキシド
ビス−トリフルオロメチルエーテル
ビス（トリフルオロメチル）テルル
ビス（トリフルオロメチル）  ジテルリド
Ｎ，Ｎ−ジフルオロ−ペンタフルオロエチルアミン（ドイツ語）
Ｎ−フルオロ−ビス（トリフルオロメチル）−アミン（ドイツ語）
Ｎ−フルオロ−Ｎ−トリフルオロメトキシ−ペルフルオロメチルアミン（ドイツ語）
フルオロホルミル  シアニド
１−クロロ−１−フルオロ−エテン／／１−クロロ−１−フルオロ−エテン／／１−ク
ロロ−１−フルオロエチレン（１−ｃｈｌｏｒｏ−１−ｆｌｕｏｒｏ−ｅｔｈｅｎｅ／／
１−Ｃｈｌｏｒ−１−ｆｌｕｏｒ−ａｅｔｈｅｎ／／１−ｃｈｌｏｒｏ−１−ｆｌｕｏｒ
ｏｅｔｈｙｌｅｎｅ）
１，１−ジフルオロエテン
＃トランス！−１，２−ジフルオロ−エテン／／＃トランス！−ビニレン  ジフルオリ
ド／／（Ｅ）−１，２−ジフルオロエチレン／／（Ｅ）−１，２−ジフルオロ−エテン／
／＃トランス！−ビニレン  フルオリド
１，２−ジフルオロ−エテン／／＃シス！−ビニレン  ジフルオリド／／１，２−ジフ
ルオロ−エテン／／ビニレン  フルオリド（１，２−ｄｉｆｌｕｏｒｏ−ｅｔｈｅｎｅ／
／＃ｃｉｓ！−ｖｉｎｙｌｅｎｅ  ｄｉｆｌｕｏｒｉｄｅ／／１，２−Ｄｉｆｌｕｏｒ−
ａｅｔｈｅｎ／／ｖｉｎｙｌｅｎｅ  ｆｌｕｏｒｉｄｅ）
＃シス！−１，２−ジフルオロ−エテン／／＃シス！−ビニレン  ジフルオリド／／（
Ｚ）−１，２−ジフルオロエチレン／／（Ｚ）−１，２−ジフルオロ−エテン／／＃シス
！−ビニレン  フルオリド
１，１，１，２−テトラフルオロエタン
１，１，２，２−テトラフルオロエタン
フルオロエテン
１，１，１−トリフルオロエタン
エーテル、メチル  トリフルオロメチル
エテン
１，１−ジフルオロエタン
フルオロエタン
エタン
フルオロ−ジメチル−ボラン
ジシロキサン，１，１，３，３−テトラフルオロ−１，３−ジメチル−
トリフルオロエテン
トリフルオロアセトアルデヒド／／トリフルオロ−アセトアルデヒド（ｔｒｉｆｌｕｏ
ｒｏａｃｅｔａｌｄｅｈｙｄｅ／／Ｔｒｉｆｌｕｏｒ−ａｃｅｔａｌｄｅｈｙｄ）
ペンタフルオロエタン
ジフルオロメチル  トリフルオロメチルエーテル
トリス（トリフルオロメチル）ビスマス
テトラフルオロプロパジエン／／テトラフルオロ−アレン／／１，１，３，３−テトラ
フルオロ−１，２−プロパジエン
テトラフルオロシクロプロペン
ペルフルオロプロピオニルヨージド
ペンタフルオロ−プロピオニトリル／／ペンタフルオロプロピオノニトリル
ヘキサフルオロ−シクロプロパン／／ヘキサフルオロ−シクロプロパン／／フレオン−
＃Ｃ！２１６（ｈｅｘａｆｌｕｏｒｏ−ｃｙｃｌｏｐｒｏｐａｎｅ／／Ｈｅｘａｆｌｕｏ
ｒ−ｃｙｃｌｏｐｒｏｐａｎ／／ｆｒｅｏｎ−＃Ｃ！２１６）
ヘキサフルオロプロピレン
ヘキサフルオロ−［１，３］ジオキソラン
オクタフルオロプロパン
ペルフルオロメチルエチルエーテル
１，１−ジフルオロ−プロパジエン／／アレニリデン  ジフルオリド／／１，１−ジフ
ルオロ−アレン
２，３，３，３−テトラフルオロ−プロペン／／ＨＦＯ−１２３４ｙｆ
トランス  ＨＦＯ−１２３４ｚｅ
３，３，３−トリフルオロプロペン
シクロプロペン
アレン
１，１−ジフルオロ−プロペン／／プロペニリデン  ジフルオリド／／１，１−ジフル
オロ−プロペン（１，１−ｄｉｆｌｕｏｒｏ−ｐｒｏｐｅｎｅ／／ｐｒｏｐｅｎｙｌｉｄ
ｅｎｅ  ｄｉｆｌｕｏｒｉｄｅ／／１，１−Ｄｉｆｌｕｏｒ−ｐｒｏｐｅｎ）
メチルケテン
２−フルオロプロペン
１−プロペン
ＤＬ−２−アミノプロピオン酸
３，３，３−トリフルオロ−プロピン／／３，３，３−トリフルオロ−プロピン／／ト
リフルオロメチル−エチン／／３，３，３−トリフルオロ−１−プロピン（３，３，３−
ｔｒｉｆｌｕｏｒｏ−ｐｒｏｐｙｎｅ／／３，３，３−Ｔｒｉｆｌｕｏｒ−ｐｒｏｐｉｎ
／／ｔｒｉｆｌｕｏｒｏｍｅｔｈｙｌ−ｅｔｈｙｎｅ／／３，３，３−ｔｒｉｆｌｕｏｒ
ｏ−１−ｐｒｏｐｙｎｅ）
１，１，３，３，３−ペンタフルオロ−プロペン／／１，１，３，３，３−ペンタフル
オロ−プロペン（１，１，３，３，３−ｐｅｎｔａｆｌｕｏｒｏ−ｐｒｏｐｅｎｅ／／１
，１，３，３，３−Ｐｅｎｔａｆｌｕｏｒ−ｐｒｏｐｅｎ）
１，２，３，３，３−ペンタフルオロ−プロペン
１，１，１，４，４，４−ヘキサフルオロ−２−ブチン
１，１，４，４−テトラフルオロ−ブタン−２，３−ジオン
トリフルオロメチルハイポクロライト
クロロ−ジフルオロ−メチル−ハイポフルオライト
Ｎ−クロロ−Ｎ−フルオロ−トリフルオロメチルアミン（ドイツ語）
クロロジフルオロジフルオロアミノメタン
チオカルボニル  ジフルオリド
チオカルボニルジフルオリド（ドイツ語）
セレノカルボニル  ジフルオリド
トリフルオロヨードメタン
Ｎ−フルオロ−ジフルオロメタンイミン（ドイツ語）
トリフルオロ−ニトロソ−メタン／／トリフルオロ−ニトロソ−メタン（ｔｒｉｆｌｕ
ｏｒｏ−ｎｉｔｒｏｓｏ−ｍｅｔｈａｎｅ／／Ｔｒｉｆｌｕｏｒ−ｎｉｔｒｏｓｏ−ｍｅ
ｔｈａｎ）
ジフルオロ−カルバモイル  フルオリド
トリフルオロ−ニトロ−メタン／／トリフルオロ−ニトロ−メタン／／フルオロピクリ
ン（ｔｒｉｆｌｕｏｒｏ−ｎｉｔｒｏ−ｍｅｔｈａｎｅ／／Ｔｒｉｆｌｕｏｒ−ｎｉｔｒ
ｏ−ｍｅｔｈａｎ／／ｆｌｕｏｒｏｐｉｃｒｉｎ）
テトラフルオロメタン
テトラフルオロホルムアミジン（ドイツ語）
テトラフルオロ尿素
次亜フッ素酸  トリフルオロメチルエステル／／次亜フッ素酸  トリフルオロメチルエ
ステル／／トリフルオロメチル  ハイポフルオライト（ｈｙｐｏｆｌｕｏｒｏｕｓ  ａｃ
ｉｄ  ｔｒｉｆｌｕｏｒｏｍｅｔｈｙｌ  ｅｓｔｅｒ／／Ｈｙｐｏｆｌｕｏｒｉｇｓａｅ
ｕｒｅ−ｔｒｉｆｌｕｏｒｍｅｔｈｙｌｅｓｔｅｒ／／ｔｒｉｆｌｕｏｒｏｍｅｔｈｙｌ
ｈｙｐｏｆｌｕｏｒｉｔｅ）
トリフルオロメタンスルホニル  フルオリド
Ｎ，Ｎ−ジフルオロ−トリフルオロメチルアミン（ドイツ語）
トリフルオロメチルオキシジフルオロアミン
（ジフルオロアミノキシ）ジフルオロメチルハイポフルオライト
スルフルシアニド  ペンタフルオリド
スルフルシアニド−ペンタフルオリド（ドイツ語）
ジフルオロ−トリフルオロメチル−ホスフィン
ヘキサフルオロメタンジアミン
ペルフルオロ  メチル  シラン
ペルフルオロメチルシラン（ドイツ語）
トリフルオロメチル-テトラフルオロホスホラン(ドイツ語)
ジフルオロメタン
フルオロヨードメタン
フルオロメタン／／メチル  フルオリド／／フルオロ−メタン／／フレオン−４１（ｆ
ｌｕｏｒｏｍｅｔｈａｎｅ／／ｍｅｔｈｙｌ  ｆｌｕｏｒｉｄｅ／／Ｆｌｕｏｒ−ｍｅｔ
ｈａｎ／／ｆｒｅｏｎ−４１）
トリフルオロメチル−シラン”  ＣＦ３ＳｉＨ３
メチルトリフルオロシラン
ジフルオロ−メチル−シラン
フルオロ−メチル−シラン
メチルゲルマン
ジフルオロホルムイミン
トリフルオロメタン
トリフルオロメタン  チオール
トリフルオロメタンチオール（ドイツ語）
Ｎ，Ｎ，１，１−テトラフルオロメチルアミン
ジフルオロ  ジクロロシラン
ジフルオロジクロロシラン（ドイツ語）
ジフルオロ  クロロシラン
ジフルオロクロロシラン（ドイツ語）
塩化二フッ化リン  
クロロトリフルオロシラン
塩化水素
クロロシラン
一酸化炭素
二酸化炭素
硫化カルボニル
ジフルオロアミン
トランス−ジフルオロジアジン
シス−ジフルオロジアジン
フッ化チオニル
トリフルオロシラン
三フッ化窒素
トリフルオロアミン  オキシド
三フッ化チアジル
三フッ化リン
フッ化ゲルマニウム（ＩＶ）
テトラフルオロシラン（Ｔｅｔｒａｆｕｏｒｏｓｉｌａｎｅ）
五フッ化リン
六フッ化セレン
六フッ化テルル
フルオロシラン
フッ化ニトロシル
硝酸フッ素
硫化水素
アンモニア
ヘリウム
ヨウ化水素
クリプトン
窒素
一酸化二窒素
ネオン
窒素酸化物；および
キセノン。
【請求項３】
請求項２に従う誘電性ガス状化合物であって、その誘電性ガス状化合物が次のものからな
るグループから選択される少なくとも１種類の化合物である誘電性ガス状化合物：
アルゴン
トリフルオロボラン
臭化水素
ブロモペンタフルオロエタン
クロロトリフルオロエテン
トリフルオロアセトニトリル
トリフルオロメチル  イソシアネート
トリフルオロメチル  チオカルボニル  フルオリド
トリフルオロメチルチオカルボニルフルオリド（ドイツ語）
ペンタフルオロ−ニトロソ−エタン／／ペンタフルオロ−ニトロソ−エタン（ｐｅｎｔ
ａｆｌｕｏｒｏ−ｎｉｔｒｏｓｏ−ｅｔｈａｎｅ／／Ｐｅｎｔａｆｌｕｏｒ−ｎｉｔｒｏ
ｓｏ−ａｅｔｈａｎ）
（トリフルオロメチル−カルボニル）−ジフルオロ−アミン
ヘキサフルオロエタン
ビス−トリフルオロメチル−ニトロキシド
ビス−トリフルオロメチルエーテル
ビス（トリフルオロメチル）テルル
ビス（トリフルオロメチル）  ジテルリド
Ｎ，Ｎ−ジフルオロ−ペンタフルオロエチルアミン（ドイツ語）
Ｎ−フルオロ−ビス（トリフルオロメチル）−アミン（ドイツ語）
Ｎ−フルオロ−Ｎ−トリフルオロメトキシ−ペルフルオロメチルアミン（ドイツ語）
フルオロホルミル  シアニド
１−クロロ−１−フルオロ−エテン／／１−クロロ−１−フルオロ−エテン／／１−ク
ロロ−１−フルオロエチレン（１−ｃｈｌｏｒｏ−１−ｆｌｕｏｒｏ−ｅｔｈｅｎｅ／／
１−Ｃｈｌｏｒ−１−ｆｌｕｏｒ−ａｅｔｈｅｎ／／１−ｃｈｌｏｒｏ−１−ｆｌｕｏｒ
ｏｅｔｈｙｌｅｎｅ）
１，１−ジフルオロエテン
＃トランス！−１，２−ジフルオロ−エテン／／＃トランス！−ビニレン  ジフルオリ
ド／／（Ｅ）−１，２−ジフルオロエチレン／／（Ｅ）−１，２−ジフルオロ−エテン／
／＃トランス！−ビニレン  フルオリド
１，２−ジフルオロ−エテン／／＃シス！−ビニレン  ジフルオリド／／１，２−ジフ
ルオロ−エテン／／ビニレン  フルオリド（１，２−ｄｉｆｌｕｏｒｏ−ｅｔｈｅｎｅ／
／＃ｃｉｓ！−ｖｉｎｙｌｅｎｅ  ｄｉｆｌｕｏｒｉｄｅ／／１，２−Ｄｉｆｌｕｏｒ−
ａｅｔｈｅｎ／／ｖｉｎｙｌｅｎｅ  ｆｌｕｏｒｉｄｅ）
＃シス！−１，２−ジフルオロ−エテン／／＃シス！−ビニレン  ジフルオリド／／（
Ｚ）−１，２−ジフルオロエチレン／／（Ｚ）−１，２−ジフルオロ−エテン／／＃シス
！−ビニレン  フルオリド
１，１，１，２−テトラフルオロエタン
１，１，２，２−テトラフルオロエタン
フルオロエテン
１，１，１−トリフルオロエタン
エーテル、メチル  トリフルオロメチル
エテン
１，１−ジフルオロエタン
フルオロエタン
エタン
フルオロ−ジメチル−ボラン
ジシロキサン，１，１，３，３−テトラフルオロ−１，３−ジメチル−
トリフルオロエテン
トリフルオロアセトアルデヒド／／トリフルオロ−アセトアルデヒド（ｔｒｉｆｌｕｏ
ｒｏａｃｅｔａｌｄｅｈｙｄｅ／／Ｔｒｉｆｌｕｏｒ−ａｃｅｔａｌｄｅｈｙｄ）
ペンタフルオロエタン
ジフルオロメチル  トリフルオロメチルエーテル
トリス（トリフルオロメチル）ビスマス
テトラフルオロプロパジエン／／テトラフルオロ−アレン／／１，１，３，３−テトラ
フルオロ−１，２−プロパジエン
テトラフルオロシクロプロペン
ペルフルオロプロピオニルヨージド
ペンタフルオロ−プロピオニトリル／／ペンタフルオロプロピオノニトリル
ヘキサフルオロ−シクロプロパン／／ヘキサフルオロ−シクロプロパン／／フレオン−
＃Ｃ！２１６（ｈｅｘａｆｌｕｏｒｏ−ｃｙｃｌｏｐｒｏｐａｎｅ／／Ｈｅｘａｆｌｕｏ
ｒ−ｃｙｃｌｏｐｒｏｐａｎ／／ｆｒｅｏｎ−＃Ｃ！２１６）
ヘキサフルオロプロピレン
ヘキサフルオロ−［１，３］ジオキソラン
オクタフルオロプロパン
ペルフルオロメチルエチルエーテル
１，１−ジフルオロ−プロパジエン／／アレニリデン  ジフルオリド／／１，１−ジフ
ルオロ−アレン
２，３，３，３−テトラフルオロ−プロペン／／ＨＦＯ−１２３４ｙｆ
トランス  ＨＦＯ−１２３４ｚｅ
３，３，３−トリフルオロプロペン
シクロプロペン
アレン
１，１−ジフルオロ−プロペン／／プロペニリデン  ジフルオリド／／１，１−ジフル
オロ−プロペン（１，１−ｄｉｆｌｕｏｒｏ−ｐｒｏｐｅｎｅ／／ｐｒｏｐｅｎｙｌｉｄ
ｅｎｅ  ｄｉｆｌｕｏｒｉｄｅ／／１，１−Ｄｉｆｌｕｏｒ−ｐｒｏｐｅｎ）
メチルケテン
２−フルオロプロペン
１−プロペン
ＤＬ−２−アミノプロピオン酸
３，３，３−トリフルオロ−プロピン／／３，３，３−トリフルオロ−プロピン／／ト
リフルオロメチル−エチン／／３，３，３−トリフルオロ−１−プロピン（３，３，３−
ｔｒｉｆｌｕｏｒｏ−ｐｒｏｐｙｎｅ／／３，３，３−Ｔｒｉｆｌｕｏｒ−ｐｒｏｐｉｎ
／／ｔｒｉｆｌｕｏｒｏｍｅｔｈｙｌ−ｅｔｈｙｎｅ／／３，３，３−ｔｒｉｆｌｕｏｒ
ｏ−１−ｐｒｏｐｙｎｅ）
１，１，３，３，３−ペンタフルオロ−プロペン／／１，１，３，３，３−ペンタフル
オロ−プロペン（１，１，３，３，３−ｐｅｎｔａｆｌｕｏｒｏ−ｐｒｏｐｅｎｅ／／１
，１，３，３，３−Ｐｅｎｔａｆｌｕｏｒ−ｐｒｏｐｅｎ）
１，２，３，３，３−ペンタフルオロ−プロペン
１，１，１，４，４，４−ヘキサフルオロ−２−ブチン
１，１，４，４−テトラフルオロ−ブタン−２，３−ジオン
トリフルオロメチルハイポクロライト
クロロ−ジフルオロ−メチル−ハイポフルオライト
Ｎ−クロロ−Ｎ−フルオロ−トリフルオロメチルアミン（ドイツ語）
クロロジフルオロジフルオロアミノメタン
チオカルボニル  ジフルオリド
チオカルボニルジフルオリド（ドイツ語）
セレノカルボニル  ジフルオリド
トリフルオロヨードメタン
Ｎ−フルオロ−ジフルオロメタンイミン（ドイツ語）
トリフルオロ−ニトロソ−メタン／／トリフルオロ−ニトロソ−メタン（ｔｒｉｆｌｕ
ｏｒｏ−ｎｉｔｒｏｓｏ−ｍｅｔｈａｎｅ／／Ｔｒｉｆｌｕｏｒ−ｎｉｔｒｏｓｏ−ｍｅ
ｔｈａｎ）
ジフルオロ−カルバモイル  フルオリド
トリフルオロ−ニトロ−メタン／／トリフルオロ−ニトロ−メタン／／フルオロピクリ
ン（ｔｒｉｆｌｕｏｒｏ−ｎｉｔｒｏ−ｍｅｔｈａｎｅ／／Ｔｒｉｆｌｕｏｒ−ｎｉｔｒ
ｏ−ｍｅｔｈａｎ／／ｆｌｕｏｒｏｐｉｃｒｉｎ）
テトラフルオロメタン
テトラフルオロホルムアミジン（ドイツ語）
テトラフルオロ尿素
次亜フッ素酸  トリフルオロメチルエステル／／次亜フッ素酸  トリフルオロメチルエ
ステル／／トリフルオロメチル  ハイポフルオライト（ｈｙｐｏｆｌｕｏｒｏｕｓ  ａｃ
ｉｄ  ｔｒｉｆｌｕｏｒｏｍｅｔｈｙｌ  ｅｓｔｅｒ／／Ｈｙｐｏｆｌｕｏｒｉｇｓａｅ
ｕｒｅ−ｔｒｉｆｌｕｏｒｍｅｔｈｙｌｅｓｔｅｒ／／ｔｒｉｆｌｕｏｒｏｍｅｔｈｙｌ
ｈｙｐｏｆｌｕｏｒｉｔｅ）
トリフルオロメタンスルホニル  フルオリド
Ｎ，Ｎ−ジフルオロ−トリフルオロメチルアミン（ドイツ語）
トリフルオロメチルオキシジフルオロアミン
（ジフルオロアミノキシ）ジフルオロメチルハイポフルオライト
スルフルシアニド  ペンタフルオリド
スルフルシアニド−ペンタフルオリド（ドイツ語）
ジフルオロ−トリフルオロメチル−ホスフィン
ヘキサフルオロメタンジアミン
ペルフルオロ  メチル  シラン
ペルフルオロメチルシラン（ドイツ語）
トリフルオロメチル-テトラフルオロホスホラン(ドイツ語)
ジフルオロメタン
フルオロヨードメタン
フルオロメタン／／メチル  フルオリド／／フルオロ−メタン／／フレオン−４１（ｆ
ｌｕｏｒｏｍｅｔｈａｎｅ／／ｍｅｔｈｙｌ  ｆｌｕｏｒｉｄｅ／／Ｆｌｕｏｒ−ｍｅｔ
ｈａｎ／／ｆｒｅｏｎ−４１）
トリフルオロメチル−シラン”  ＣＦ３ＳｉＨ３
メチルトリフルオロシラン
ジフルオロ−メチル−シラン
フルオロ−メチル−シラン
メチルゲルマン
ジフルオロホルムイミン
トリフルオロメタン
トリフルオロメタン  チオール
トリフルオロメタンチオール（ドイツ語）
Ｎ，Ｎ，１，１−テトラフルオロメチルアミン
ジフルオロ  ジクロロシラン
ジフルオロジクロロシラン（ドイツ語）
ジフルオロ  クロロシラン
ジフルオロクロロシラン（ドイツ語）
塩化二フッ化リン  
クロロトリフルオロシラン
塩化水素
クロロシラン
一酸化炭素
二酸化炭素
硫化カルボニル
ジフルオロアミン
トランス−ジフルオロジアジン
シス−ジフルオロジアジン
フッ化チオニル
トリフルオロシラン
三フッ化窒素
トリフルオロアミン  オキシド
三フッ化チアジル
三フッ化リン
フッ化ゲルマニウム（ＩＶ）
テトラフルオロシラン（Ｔｅｔｒａｆｕｏｒｏｓｉｌａｎｅ）
五フッ化リン
六フッ化セレン
六フッ化テルル
フルオロシラン
フッ化ニトロシル
硝酸フッ素
硫化水素
アンモニア
ヘリウム
ヨウ化水素
クリプトン
窒素
一酸化二窒素
ネオン
窒素酸化物；および
キセノン。
【請求項４】
請求項１に従う誘電性ガス状化合物であって、さらに誘電性ガス状化合物の共沸混合物を
形成することを含む誘電性ガス状化合物。
【請求項５】
請求項１に従う誘電性ガス状化合物であって、さらに誘電性ガス状化合物を窒素、ＣＯ２
およびＮ２Ｏからなるグループから選択される少なくとも１種類のガスと混合することを
含む誘電性ガス状化合物。
【請求項６】
電気設備における使用のための絶縁ガスであって、絶縁ガスが次の特性を示す誘電性ガス
状化合物である絶縁ガス：
約−２０℃〜約−２７３℃の範囲内の沸点；
オゾン破壊が少ない、全くない；
約２２，２００より低いＧＷＰ；
負の標準生成エンタルピー（ｄＨｆ＜０）により判定される、化学的安定性；
その誘電性ガスが漏れた場合に、有効希釈濃度がそれのＰＥＬを越えないような毒性レ
ベル；および
空気よりも大きい絶縁耐力。
【請求項７】
請求項６に従う絶縁ガスであって、その誘電性ガス状化合物が次のものからなるグループ
から選択される少なくとも１種類の化合物である絶縁ガス：
五フッ化ヒ素
アルシン
四フッ化二ホウ素
ジボラン
過塩素酸、２−クロロ−１，１，２，２−テトラフルオロエチルエステル（９ＣＩ）
過塩素酸、１，２，２−トリクロロ−１，２−ジフルオロエチルエステル
トリフルオロアセチル  クロリド
トリフルオロメチルイソシアニド（ＣＦ３−ＮＣ）
トリフルオロメチル  イソシアニド
トリフルオロ−ニトロソ−エテン／／トリフルオロ−ニトロソ−エテン（ｔｒｉｆｌｕ
ｏｒｏ−ｎｉｔｒｏｓｏ−ｅｔｈｅｎｅ／／Ｔｒｉｆｌｕｏｒ−ｎｉｔｒｏｓｏ−ａｅｔ
ｈｅｎ）
テトラフルオロエテン
３，３，４，４−テトラフルオロ−３，４−ジヒドロ−［１，２］ジアゼト
（ジフルオロアミノ）ジフルオロアセトニトリル
テトラフルオロオキシラン
トリフルオロアセチル  フルオリド
ペルフルオロメチルフルオロホルミアート（Ｐｅｒｆｌｕｏｒｍｅｔｈｙｌｆｌｕｏｒ
ｆｏｒｍｉａｔ）
トリフルオロ−アセチル  ハイポフルオライト
ペルフルオロ−２−アザ−１−プロペン
ペルフルオロ−２−アザ−１−プロペン（ドイツ語）
Ｎ−フルオロ−テトラフルオロ−１−エタニミン（ドイツ語）
３，３−ジフルオロ−２−トリフルオロメチル−オキサジリジン
ビス−トリフルオロメチル−ジアゼン／／ヘキサフルオロ−＃シス！−アゾメタン
フルオロオキシペンタフルオロエタン
ビス−トリフルオロメチル  ペルオキシド
１，１−ビス（フルオロオキシ）テトラフルオロエタン
ヘキサフルオロジメチル  スルフィド
３−フルオロ−３＃Ｈ！−ジアジリン−３−カルボニトリル
エチン
１，２，２−トリフルオロ−アジリジン
ケテン
（ジフルオロ）ビニルボラン
（ジフルオロ）ビニルボラン（ドイツ語）
トリフルオロ−ビニル−シラン
エチニルシラン
エチル−ジフルオロ−ボラン
エチル−ジフルオロ−ボラン（ドイツ語）
メチル−メチレン−アミン
ジメチルエーテル
ビニル−シラン
ジメチルシラン
クロロエチン
フルオロエチン／／フルオロ−アセチレン
エタンジニトリル
テトラフルオロプロピン／／１，３，３，３−テトラフルオロプロピン
ヘキサフルオロ−オキセタン
トリフルオロ（トリフルオロメチル）オキシラン
１，１，１，３，３，３−ヘキサフルオロプロパノン
ペンタフルオロ−プロピオニル  フルオリド／／ペルフルオロプロピオニル  フルオリ
ド
トリフルオロメチル  トリフルオロビニルエーテル
１−プロピン
シクロプロパン
プロパン
トリメチルボラン
シアノケテン
ブタトリエン
シアノ−ビスペンタフルオロエチル−ホスフィン
トリメチル−１，１，２，２−テトラフルオロエチルシラン
メチル  ジボラン
メチルジボラン（ドイツ語）
カルボニル  ブロミド  フルオリド
クロロ−ジフルオロ−ニトロソ−メタン／／クロロ−ジフルオロ−ニトロソ−メタン（
ｃｈｌｏｒｏ−ｄｉｆｌｕｏｒｏ−ｎｉｔｒｏｓｏ−ｍｅｔｈａｎｅ／／Ｃｈｌｏｒ−ｄ
ｉｆｌｕｏｒ−ｎｉｔｒｏｓｏ−ｍｅｔｈａｎ）
クロロペルオキシトリフルオロメタン
カルボニルクロリド−フルオリド
カルボニクロリドフルオリド（Ｃａｒｂｏｎｙｃｈｌｏｒｉｄｆｌｕｏｒｉｄ）（ド
イツ語）
３，３−ジフルオロ−３＃Ｈ！−ジアジリン
ジフルオロ  ジアゾメタン
ジフルオロジアゾメタン（ドイツ語）
カルボニル  フルオリド
ジフルオロジオキシラン
ジフルオロ−（３−フルオロ−３＃Ｈ！−ジアジリン−３−イル）−アミン
トリフルオロメチルアジド
トリフルオロメチルアジド（ドイツ語）
テトラフルオロ−ジアジリジン
フルオロペルオキシトリフルオロメタン
ビス（フルオロオキシ）ジフルオロメタン
トリフルオロメチル−ホスホニルフルオリド
フッ化シアン
トリフルオロメチルホスファン（ドイツ語）
ジアゾメタン
ホルムアルデヒド／／ホルマリン
（メチル）ジフルオロボラン
（メチル）ジフルオロボラン（ドイツ語）
クロロメタン
メチルホスホナス酸  ジフルオリド／／ジフルオロ−メチル−ホスフィン
トリフルオロ−メトキシ−シラン
メチルハイポフルオリド
メタン
メチルシラン
＃Ｓｉ！−ブロモ−＃Ｓｉ！，＃Ｓｉ！’−メタンジイル−ビス−シラン
＃Ｓｉ！−ヨード−＃Ｓｉ！，＃Ｓｉ！’−メタンジイル−ビス−シラン
ジフルオロメチルニトライト
トリフルオロメタノール
ホルミルフルオリド
シアン酸
塩素
フッ化塩素
三酸化フッ化塩素
カーボン  オキシド  セレニド／／コーレンオキシドセレニド（ｃａｒｂｏｎ  ｏｘｉ
ｄｅ  ｓｅｌｅｎｉｄｅ／／Ｋｏｈｌｅｎｏｘｉｄｓｅｌｅｎｉｄ）
フッ素
ジフルオロシラン
酸化フッ素
過酸化フッ素
フッ化スルフリル
二フッ化硫黄
三フッ化酸化リン
三フッ化硫化リン
テトラフルオロホスホラン
テトラフルオロヒドラジン
四フッ化硫黄
ヘキサフルオロ  ジシロキサン
ヘキサフルオロジシロキサン（ドイツ語）
フッ化ニトリル
水素
セレン化水素
三水素化リン
水素化ゲルマニウム
シラン
四水素化スズ
酸素
オゾン
一リン化アンチモン
一リン化二ケイ素
ラドン
アルゴン
トリフルオロボラン
臭化水素
ブロモペンタフルオロエタン
クロロトリフルオロエテン
トリフルオロアセトニトリル
トリフルオロメチル  イソシアネート
トリフルオロメチル  チオカルボニル  フルオリド
トリフルオロメチルチオカルボニルフルオリド（ドイツ語）
ペンタフルオロ−ニトロソ−エタン／／ペンタフルオロ−ニトロソ−エタン（ｐｅｎｔ
ａｆｌｕｏｒｏ−ｎｉｔｒｏｓｏ−ｅｔｈａｎｅ／／Ｐｅｎｔａｆｌｕｏｒ−ｎｉｔｒｏ
ｓｏ−ａｅｔｈａｎ）
（トリフルオロメチル−カルボニル）−ジフルオロ−アミン
ヘキサフルオロエタン
ビス−トリフルオロメチル−ニトロキシド
ビス−トリフルオロメチルエーテル
ビス（トリフルオロメチル）テルル
ビス（トリフルオロメチル）  ジテルリド
Ｎ，Ｎ−ジフルオロ−ペンタフルオロエチルアミン（ドイツ語）
Ｎ−フルオロ−ビス（トリフルオロメチル）−アミン（ドイツ語）
Ｎ−フルオロ−Ｎ−トリフルオロメトキシ−ペルフルオロメチルアミン（ドイツ語）
フルオロホルミル  シアニド
１−クロロ−１−フルオロ−エテン／／１−クロロ−１−フルオロ−エテン／／１−ク
ロロ−１−フルオロエチレン（１−ｃｈｌｏｒｏ−１−ｆｌｕｏｒｏ−ｅｔｈｅｎｅ／／
１−Ｃｈｌｏｒ−１−ｆｌｕｏｒ−ａｅｔｈｅｎ／／１−ｃｈｌｏｒｏ−１−ｆｌｕｏｒ
ｏｅｔｈｙｌｅｎｅ）
１，１−ジフルオロエテン
＃トランス！−１，２−ジフルオロ−エテン／／＃トランス！−ビニレン  ジフルオリ
ド／／（Ｅ）−１，２−ジフルオロエチレン／／（Ｅ）−１，２−ジフルオロ−エテン／
／＃トランス！−ビニレン  フルオリド
１，２−ジフルオロ−エテン／／＃シス！−ビニレン  ジフルオリド／／１，２−ジフ
ルオロ−エテン／／ビニレン  フルオリド（１，２−ｄｉｆｌｕｏｒｏ−ｅｔｈｅｎｅ／
／＃ｃｉｓ！−ｖｉｎｙｌｅｎｅ  ｄｉｆｌｕｏｒｉｄｅ／／１，２−Ｄｉｆｌｕｏｒ−
ａｅｔｈｅｎ／／ｖｉｎｙｌｅｎｅ  ｆｌｕｏｒｉｄｅ）
＃シス！−１，２−ジフルオロ−エテン／／＃シス！−ビニレン  ジフルオリド／／（
Ｚ）−１，２−ジフルオロエチレン／／（Ｚ）−１，２−ジフルオロ−エテン／／＃シス
！−ビニレン  フルオリド
１，１，１，２−テトラフルオロエタン
１，１，２，２−テトラフルオロエタン
フルオロエテン
１，１，１−トリフルオロエタン
エーテル、メチル  トリフルオロメチル
エテン
１，１−ジフルオロエタン
フルオロエタン
エタン
フルオロ−ジメチル−ボラン
ジシロキサン，１，１，３，３−テトラフルオロ−１，３−ジメチル−
トリフルオロエテン
トリフルオロアセトアルデヒド／／トリフルオロ−アセトアルデヒド（ｔｒｉｆｌｕｏ
ｒｏａｃｅｔａｌｄｅｈｙｄｅ／／Ｔｒｉｆｌｕｏｒ−ａｃｅｔａｌｄｅｈｙｄ）
ペンタフルオロエタン
ジフルオロメチル  トリフルオロメチルエーテル
トリス（トリフルオロメチル）ビスマス
テトラフルオロプロパジエン／／テトラフルオロ−アレン／／１，１，３，３−テトラ
フルオロ−１，２−プロパジエン
テトラフルオロシクロプロペン
ペルフルオロプロピオニルヨージド
ペンタフルオロ−プロピオニトリル／／ペンタフルオロプロピオノニトリル
ヘキサフルオロ−シクロプロパン／／ヘキサフルオロ−シクロプロパン／／フレオン−
＃Ｃ！２１６（ｈｅｘａｆｌｕｏｒｏ−ｃｙｃｌｏｐｒｏｐａｎｅ／／Ｈｅｘａｆｌｕｏ
ｒ−ｃｙｃｌｏｐｒｏｐａｎ／／ｆｒｅｏｎ−＃Ｃ！２１６）
ヘキサフルオロプロピレン
ヘキサフルオロ−［１，３］ジオキソラン
オクタフルオロプロパン
ペルフルオロメチルエチルエーテル
１，１−ジフルオロ−プロパジエン／／アレニリデン  ジフルオリド／／１，１−ジフ
ルオロ−アレン
２，３，３，３−テトラフルオロ−プロペン／／ＨＦＯ−１２３４ｙｆ
トランス  ＨＦＯ−１２３４ｚｅ
３，３，３−トリフルオロプロペン
シクロプロペン
アレン
１，１−ジフルオロ−プロペン／／プロペニリデン  ジフルオリド／／１，１−ジフル
オロ−プロペン（１，１−ｄｉｆｌｕｏｒｏ−ｐｒｏｐｅｎｅ／／ｐｒｏｐｅｎｙｌｉｄ
ｅｎｅ  ｄｉｆｌｕｏｒｉｄｅ／／１，１−Ｄｉｆｌｕｏｒ−ｐｒｏｐｅｎ）
メチルケテン
２−フルオロプロペン
１−プロペン
ＤＬ−２−アミノプロピオン酸
３，３，３−トリフルオロ−プロピン／／３，３，３−トリフルオロ−プロピン／／ト
リフルオロメチル−エチン／／３，３，３−トリフルオロ−１−プロピン（３，３，３−
ｔｒｉｆｌｕｏｒｏ−ｐｒｏｐｙｎｅ／／３，３，３−Ｔｒｉｆｌｕｏｒ−ｐｒｏｐｉｎ
／／ｔｒｉｆｌｕｏｒｏｍｅｔｈｙｌ−ｅｔｈｙｎｅ／／３，３，３−ｔｒｉｆｌｕｏｒ
ｏ−１−ｐｒｏｐｙｎｅ）
１，１，３，３，３−ペンタフルオロ−プロペン／／１，１，３，３，３−ペンタフル
オロ−プロペン（１，１，３，３，３−ｐｅｎｔａｆｌｕｏｒｏ−ｐｒｏｐｅｎｅ／／１
，１，３，３，３−Ｐｅｎｔａｆｌｕｏｒ−ｐｒｏｐｅｎ）
１，２，３，３，３−ペンタフルオロ−プロペン
１，１，１，４，４，４−ヘキサフルオロ−２−ブチン
１，１，４，４−テトラフルオロ−ブタン−２，３−ジオン
トリフルオロメチルハイポクロライト
クロロ−ジフルオロ−メチル−ハイポフルオライト
Ｎ−クロロ−Ｎ−フルオロ−トリフルオロメチルアミン（ドイツ語）
クロロジフルオロジフルオロアミノメタン
チオカルボニル  ジフルオリド
チオカルボニルジフルオリド（ドイツ語）
セレノカルボニル  ジフルオリド
トリフルオロヨードメタン
Ｎ−フルオロ−ジフルオロメタンイミン（ドイツ語）
トリフルオロ−ニトロソ−メタン／／トリフルオロ−ニトロソ−メタン（ｔｒｉｆｌｕ
ｏｒｏ−ｎｉｔｒｏｓｏ−ｍｅｔｈａｎｅ／／Ｔｒｉｆｌｕｏｒ−ｎｉｔｒｏｓｏ−ｍｅ
ｔｈａｎ）
ジフルオロ−カルバモイル  フルオリド
トリフルオロ−ニトロ−メタン／／トリフルオロ−ニトロ−メタン／／フルオロピクリ
ン（ｔｒｉｆｌｕｏｒｏ−ｎｉｔｒｏ−ｍｅｔｈａｎｅ／／Ｔｒｉｆｌｕｏｒ−ｎｉｔｒ
ｏ−ｍｅｔｈａｎ／／ｆｌｕｏｒｏｐｉｃｒｉｎ）
テトラフルオロメタン
テトラフルオロホルムアミジン（ドイツ語）
テトラフルオロ尿素
次亜フッ素酸  トリフルオロメチルエステル／／次亜フッ素酸  トリフルオロメチルエ
ステル／／トリフルオロメチル  ハイポフルオライト（ｈｙｐｏｆｌｕｏｒｏｕｓ  ａｃ
ｉｄ  ｔｒｉｆｌｕｏｒｏｍｅｔｈｙｌ  ｅｓｔｅｒ／／Ｈｙｐｏｆｌｕｏｒｉｇｓａｅ
ｕｒｅ−ｔｒｉｆｌｕｏｒｍｅｔｈｙｌｅｓｔｅｒ／／ｔｒｉｆｌｕｏｒｏｍｅｔｈｙｌ
ｈｙｐｏｆｌｕｏｒｉｔｅ）
トリフルオロメタンスルホニル  フルオリド
Ｎ，Ｎ−ジフルオロ−トリフルオロメチルアミン（ドイツ語）
トリフルオロメチルオキシジフルオロアミン
（ジフルオロアミノキシ）ジフルオロメチルハイポフルオライト
スルフルシアニド  ペンタフルオリド
スルフルシアニド−ペンタフルオリド（ドイツ語）
ジフルオロ−トリフルオロメチル−ホスフィン
ヘキサフルオロメタンジアミン
ペルフルオロ  メチル  シラン
ペルフルオロメチルシラン（ドイツ語）
トリフルオロメチル-テトラフルオロホスホラン(ドイツ語)
ジフルオロメタン
フルオロヨードメタン
フルオロメタン／／メチル  フルオリド／／フルオロ−メタン／／フレオン−４１（ｆ
ｌｕｏｒｏｍｅｔｈａｎｅ／／ｍｅｔｈｙｌ  ｆｌｕｏｒｉｄｅ／／Ｆｌｕｏｒ−ｍｅｔ
ｈａｎ／／ｆｒｅｏｎ−４１）
トリフルオロメチル−シラン”  ＣＦ３ＳｉＨ３
メチルトリフルオロシラン
ジフルオロ−メチル−シラン
フルオロ−メチル−シラン
メチルゲルマン
ジフルオロホルムイミン
トリフルオロメタン
トリフルオロメタン  チオール
トリフルオロメタンチオール（ドイツ語）
Ｎ，Ｎ，１，１−テトラフルオロメチルアミン
ジフルオロ  ジクロロシラン
ジフルオロジクロロシラン（ドイツ語）
ジフルオロ  クロロシラン
ジフルオロクロロシラン（ドイツ語）
塩化二フッ化リン  
クロロトリフルオロシラン
塩化水素
クロロシラン
一酸化炭素
二酸化炭素
硫化カルボニル
ジフルオロアミン
トランス−ジフルオロジアジン
シス−ジフルオロジアジン
フッ化チオニル
トリフルオロシラン
三フッ化窒素
トリフルオロアミン  オキシド
三フッ化チアジル
三フッ化リン
フッ化ゲルマニウム（ＩＶ）
テトラフルオロシラン（Ｔｅｔｒａｆｕｏｒｏｓｉｌａｎｅ）
五フッ化リン
六フッ化セレン
六フッ化テルル
フルオロシラン
フッ化ニトロシル
硝酸フッ素
硫化水素
アンモニア
ヘリウム
ヨウ化水素
クリプトン
窒素
一酸化二窒素
ネオン
窒素酸化物；および
キセノン。
【請求項８】
請求項７に従う絶縁ガスであって、その誘電性ガス状化合物が次のものからなるグループ
から選択される少なくとも１種類の化合物である絶縁ガス：
アルゴン
トリフルオロボラン
臭化水素
ブロモペンタフルオロエタン
クロロトリフルオロエテン
トリフルオロアセトニトリル
トリフルオロメチル  イソシアネート
トリフルオロメチル  チオカルボニル  フルオリド
トリフルオロメチルチオカルボニルフルオリド（ドイツ語）
ペンタフルオロ−ニトロソ−エタン／／ペンタフルオロ−ニトロソ−エタン（ｐｅｎｔ
ａｆｌｕｏｒｏ−ｎｉｔｒｏｓｏ−ｅｔｈａｎｅ／／Ｐｅｎｔａｆｌｕｏｒ−ｎｉｔｒｏ
ｓｏ−ａｅｔｈａｎ）
（トリフルオロメチル−カルボニル）−ジフルオロ−アミン
ヘキサフルオロエタン
ビス−トリフルオロメチル−ニトロキシド
ビス−トリフルオロメチルエーテル
ビス（トリフルオロメチル）テルル
ビス（トリフルオロメチル）  ジテルリド
Ｎ，Ｎ−ジフルオロ−ペンタフルオロエチルアミン（ドイツ語）
Ｎ−フルオロ−ビス（トリフルオロメチル）−アミン（ドイツ語）
Ｎ−フルオロ−Ｎ−トリフルオロメトキシ−ペルフルオロメチルアミン（ドイツ語）
フルオロホルミル  シアニド
１−クロロ−１−フルオロ−エテン／／１−クロロ−１−フルオロ−エテン／／１−ク
ロロ−１−フルオロエチレン（１−ｃｈｌｏｒｏ−１−ｆｌｕｏｒｏ−ｅｔｈｅｎｅ／／
１−Ｃｈｌｏｒ−１−ｆｌｕｏｒ−ａｅｔｈｅｎ／／１−ｃｈｌｏｒｏ−１−ｆｌｕｏｒ
ｏｅｔｈｙｌｅｎｅ）
１，１−ジフルオロエテン
＃トランス！−１，２−ジフルオロ−エテン／／＃トランス！−ビニレン  ジフルオリ
ド／／（Ｅ）−１，２−ジフルオロエチレン／／（Ｅ）−１，２−ジフルオロ−エテン／
／＃トランス！−ビニレン  フルオリド
１，２−ジフルオロ−エテン／／＃シス！−ビニレン  ジフルオリド／／１，２−ジフ
ルオロ−エテン／／ビニレン  フルオリド（１，２−ｄｉｆｌｕｏｒｏ−ｅｔｈｅｎｅ／
／＃ｃｉｓ！−ｖｉｎｙｌｅｎｅ  ｄｉｆｌｕｏｒｉｄｅ／／１，２−Ｄｉｆｌｕｏｒ−
ａｅｔｈｅｎ／／ｖｉｎｙｌｅｎｅ  ｆｌｕｏｒｉｄｅ）
＃シス！−１，２−ジフルオロ−エテン／／＃シス！−ビニレン  ジフルオリド／／（
Ｚ）−１，２−ジフルオロエチレン／／（Ｚ）−１，２−ジフルオロ−エテン／／＃シス
！−ビニレン  フルオリド
１，１，１，２−テトラフルオロエタン
１，１，２，２−テトラフルオロエタン
フルオロエテン
１，１，１−トリフルオロエタン
エーテル、メチル  トリフルオロメチル
エテン
１，１−ジフルオロエタン
フルオロエタン
エタン
フルオロ−ジメチル−ボラン
ジシロキサン，１，１，３，３−テトラフルオロ−１，３−ジメチル−
トリフルオロエテン
トリフルオロアセトアルデヒド／／トリフルオロ−アセトアルデヒド（ｔｒｉｆｌｕｏ
ｒｏａｃｅｔａｌｄｅｈｙｄｅ／／Ｔｒｉｆｌｕｏｒ−ａｃｅｔａｌｄｅｈｙｄ）
ペンタフルオロエタン
ジフルオロメチル  トリフルオロメチルエーテル
トリス（トリフルオロメチル）ビスマス
テトラフルオロプロパジエン／／テトラフルオロ−アレン／／１，１，３，３−テトラ
フルオロ−１，２−プロパジエン
テトラフルオロシクロプロペン
ペルフルオロプロピオニルヨージド
ペンタフルオロ−プロピオニトリル／／ペンタフルオロプロピオノニトリル
ヘキサフルオロ−シクロプロパン／／ヘキサフルオロ−シクロプロパン／／フレオン−
＃Ｃ！２１６（ｈｅｘａｆｌｕｏｒｏ−ｃｙｃｌｏｐｒｏｐａｎｅ／／Ｈｅｘａｆｌｕｏ
ｒ−ｃｙｃｌｏｐｒｏｐａｎ／／ｆｒｅｏｎ−＃Ｃ！２１６）
ヘキサフルオロプロピレン
ヘキサフルオロ−［１，３］ジオキソラン
オクタフルオロプロパン
ペルフルオロメチルエチルエーテル
１，１−ジフルオロ−プロパジエン／／アレニリデン  ジフルオリド／／１，１−ジフ
ルオロ−アレン
２，３，３，３−テトラフルオロ−プロペン／／ＨＦＯ−１２３４ｙｆ
トランス  ＨＦＯ−１２３４ｚｅ
３，３，３−トリフルオロプロペン
シクロプロペン
アレン
１，１−ジフルオロ−プロペン／／プロペニリデン  ジフルオリド／／１，１−ジフル
オロ−プロペン（１，１−ｄｉｆｌｕｏｒｏ−ｐｒｏｐｅｎｅ／／ｐｒｏｐｅｎｙｌｉｄ
ｅｎｅ  ｄｉｆｌｕｏｒｉｄｅ／／１，１−Ｄｉｆｌｕｏｒ−ｐｒｏｐｅｎ）
メチルケテン
２−フルオロプロペン
１−プロペン
ＤＬ−２−アミノプロピオン酸
３，３，３−トリフルオロ−プロピン／／３，３，３−トリフルオロ−プロピン／／ト
リフルオロメチル−エチン／／３，３，３−トリフルオロ−１−プロピン（３，３，３−
ｔｒｉｆｌｕｏｒｏ−ｐｒｏｐｙｎｅ／／３，３，３−Ｔｒｉｆｌｕｏｒ−ｐｒｏｐｉｎ
／／ｔｒｉｆｌｕｏｒｏｍｅｔｈｙｌ−ｅｔｈｙｎｅ／／３，３，３−ｔｒｉｆｌｕｏｒ
ｏ−１−ｐｒｏｐｙｎｅ）
１，１，３，３，３−ペンタフルオロ−プロペン／／１，１，３，３，３−ペンタフル
オロ−プロペン（１，１，３，３，３−ｐｅｎｔａｆｌｕｏｒｏ−ｐｒｏｐｅｎｅ／／１
，１，３，３，３−Ｐｅｎｔａｆｌｕｏｒ−ｐｒｏｐｅｎ）
１，２，３，３，３−ペンタフルオロ−プロペン
１，１，１，４，４，４−ヘキサフルオロ−２−ブチン
１，１，４，４−テトラフルオロ−ブタン−２，３−ジオン
トリフルオロメチルハイポクロライト
クロロ−ジフルオロ−メチル−ハイポフルオライト
Ｎ−クロロ−Ｎ−フルオロ−トリフルオロメチルアミン（ドイツ語）
クロロジフルオロジフルオロアミノメタン
チオカルボニル  ジフルオリド
チオカルボニルジフルオリド（ドイツ語）
セレノカルボニル  ジフルオリド
トリフルオロヨードメタン
Ｎ−フルオロ−ジフルオロメタンイミン（ドイツ語）
トリフルオロ−ニトロソ−メタン／／トリフルオロ−ニトロソ−メタン（ｔｒｉｆｌｕ
ｏｒｏ−ｎｉｔｒｏｓｏ−ｍｅｔｈａｎｅ／／Ｔｒｉｆｌｕｏｒ−ｎｉｔｒｏｓｏ−ｍｅ
ｔｈａｎ）
ジフルオロ−カルバモイル  フルオリド
トリフルオロ−ニトロ−メタン／／トリフルオロ−ニトロ−メタン／／フルオロピクリ
ン（ｔｒｉｆｌｕｏｒｏ−ｎｉｔｒｏ−ｍｅｔｈａｎｅ／／Ｔｒｉｆｌｕｏｒ−ｎｉｔｒ
ｏ−ｍｅｔｈａｎ／／ｆｌｕｏｒｏｐｉｃｒｉｎ）
テトラフルオロメタン
テトラフルオロホルムアミジン（ドイツ語）
テトラフルオロ尿素
次亜フッ素酸  トリフルオロメチルエステル／／次亜フッ素酸  トリフルオロメチルエ
ステル／／トリフルオロメチル  ハイポフルオライト（ｈｙｐｏｆｌｕｏｒｏｕｓ  ａｃ
ｉｄ  ｔｒｉｆｌｕｏｒｏｍｅｔｈｙｌ  ｅｓｔｅｒ／／Ｈｙｐｏｆｌｕｏｒｉｇｓａｅ
ｕｒｅ−ｔｒｉｆｌｕｏｒｍｅｔｈｙｌｅｓｔｅｒ／／ｔｒｉｆｌｕｏｒｏｍｅｔｈｙｌ
ｈｙｐｏｆｌｕｏｒｉｔｅ）
トリフルオロメタンスルホニル  フルオリド
Ｎ，Ｎ−ジフルオロ−トリフルオロメチルアミン（ドイツ語）
トリフルオロメチルオキシジフルオロアミン
（ジフルオロアミノキシ）ジフルオロメチルハイポフルオライト
スルフルシアニド  ペンタフルオリド
スルフルシアニド−ペンタフルオリド（ドイツ語）
ジフルオロ−トリフルオロメチル−ホスフィン
ヘキサフルオロメタンジアミン
ペルフルオロ  メチル  シラン
ペルフルオロメチルシラン（ドイツ語）
トリフルオロメチル-テトラフルオロホスホラン(ドイツ語)
ジフルオロメタン
フルオロヨードメタン
フルオロメタン／／メチル  フルオリド／／フルオロ−メタン／／フレオン−４１（ｆ
ｌｕｏｒｏｍｅｔｈａｎｅ／／ｍｅｔｈｙｌ  ｆｌｕｏｒｉｄｅ／／Ｆｌｕｏｒ−ｍｅｔ
ｈａｎ／／ｆｒｅｏｎ−４１）
トリフルオロメチル−シラン”  ＣＦ３ＳｉＨ３
メチルトリフルオロシラン
ジフルオロ−メチル−シラン
フルオロ−メチル−シラン
メチルゲルマン
ジフルオロホルムイミン
トリフルオロメタン
トリフルオロメタン  チオール
トリフルオロメタンチオール（ドイツ語）
Ｎ，Ｎ，１，１−テトラフルオロメチルアミン
ジフルオロ  ジクロロシラン
ジフルオロジクロロシラン（ドイツ語）
ジフルオロ  クロロシラン
ジフルオロクロロシラン（ドイツ語）
塩化二フッ化リン  
クロロトリフルオロシラン
塩化水素
クロロシラン
一酸化炭素
二酸化炭素
硫化カルボニル
ジフルオロアミン
トランス−ジフルオロジアジン
シス−ジフルオロジアジン
フッ化チオニル
トリフルオロシラン
三フッ化窒素
トリフルオロアミン  オキシド
三フッ化チアジル
三フッ化リン
フッ化ゲルマニウム（ＩＶ）
テトラフルオロシラン（Ｔｅｔｒａｆｕｏｒｏｓｉｌａｎｅ）
五フッ化リン
六フッ化セレン
六フッ化テルル
フルオロシラン
フッ化ニトロシル
硝酸フッ素
硫化水素
アンモニア
ヘリウム
ヨウ化水素
クリプトン
窒素
一酸化二窒素
ネオン
窒素酸化物；および
キセノン。
【請求項９】
請求項６に従う絶縁ガスであって、さらに誘電性ガス状化合物の共沸混合物を形成するこ
とを含む絶縁ガス。
【請求項１０】
請求項６に従う絶縁ガスであって、さらに誘電性ガス状化合物を窒素、ＣＯ２およびＮ２
Ｏからなるグループから選択される少なくとも１種類のガスと混合することを含む絶縁ガ
ス。
【請求項１１】
請求項６に従う絶縁ガスであって、電気設備が次のものからなるグループから選択される
少なくとも１種類のものである絶縁ガス：ガスで絶縁されたサーキットブレーカーおよび
電流遮断設備、ガスで絶縁された送電線、ガスで絶縁された変圧器、ならびにガスで絶縁
された変電所。
【発明の詳細な説明】
【技術分野】
【０００１】
本開示は概して、低い地球温暖化係数（ＧＷＰ）を有するある種のガス状誘電性化合物
に関する。特に、そのガス状誘電性化合物は次の特性を示す：約−２０℃〜約−２７３℃
の範囲内の沸点；オゾン破壊が少ない、好ましくは全くない；約２２，２００より低いＧ
ＷＰ；負の標準生成エンタルピー（ｄＨｆ＜０）により判定される、化学的安定性；その
誘電性ガスが漏れた場合に有効希釈濃度がそのＰＥＬ、例えば約０．３体積ｐｐｍより大
きいＰＥＬ（すなわち、約０．３ｐｐｍより大きい職業暴露限界値（ＯＥＬまたはＴＬＶ
））を越えないような毒性レベル；および、空気よりも大きい絶縁耐力。これらのガス状
誘電性化合物は、絶縁ガスとして、電気設備、例えばガスで絶縁されたサーキットブレー
カーおよび電流遮断設備、ガスで絶縁された送電線、ガスで絶縁された変圧器、またはガ
スで絶縁された変電所との使用のために特に有用である。
【背景技術】
【０００２】
六フッ化硫黄（ＳＦ６）は、ガス状誘電体（絶縁体）として高電圧設備において１９５
０年代以来用いられてきた。今日、ＳＦ６は既知の最も高い地球温暖化係数（ＧＷＰ）の
１つを有する強力な温室効果温暖化ガスであることが知られている。その高いＧＷＰによ
り、それの全ての取るに足らない用途が段階的に廃止されつつある。しかし、高電圧設備
においてＳＦ６の代用物となるものは現在知られていない。電気産業は、設備の漏洩率を
減少させる、監視装置を使用する、再利用を増大させる、および大気への放出を減少させ
る手段を講じた。しかし、電気的誘電の用途におけるＳＦ６の代用物を見いだせれば、な
お都合がよいであろう。
【０００３】
ＳＦ６の基本的な物理的および化学的特性、様々な型のガス排出物におけるそのふるま
い、および電力産業によるその使用は、広く研究されてきた。
その通常の状態で、ＳＦ６は化学的に不活性、無毒性、不燃性、非爆発性、および熱的
に安定（それは気相において５００℃未満の温度では分解しない）である。ＳＦ６は、そ
れを電力の伝達および配布において利用される設備に適したものにする多くの特性を示す
。それは室温および周囲よりかなり上の温度の両方において強く負に帯電した（電子をく
っつける）ガスであり、これは主にその高い絶縁耐力および優れたアーク遮断特性を説明
する。ＳＦ６の絶縁破壊電圧は、大気圧における空気よりほぼ３倍高い。さらに、それは
優れた伝熱特性を有し、それは高ガス圧条件下において、放電またはアーク中で解離した
際に、それ自身をすぐに再形成（ｒｅｆｏｒｍ）する（すなわち、それは速い回復を有し
、それは自己治療する）。その安定な分解副産物のほとんどは、その絶縁耐力を大きく下
げず、濾過により除去することができる。それはアーク放電の間に重合物、炭素、または
他の伝導性沈着物を生成せず、それは約２００℃までの温度において、電気設備で用いら
れているほとんどの固体の絶縁および伝導性物質と化学的に共存できる。
【０００４】
その優れた絶縁および伝熱特性の他にも、ＳＦ６は室温において含まれた場合に比較的
高い圧力を有する。２１℃においてＳＦ６を液化するのに必要な圧力は約２１００ｋＰａ
であり；その沸点は−６３．８０℃とかなり低く、これはＳＦ６で絶縁された設備におい
て４００ｋＰａ〜６００ｋＰａ（４〜６気圧）の圧力を用いることを可能とする。それは
室温において圧力をかけられると容易に液化し、ガスシリンダー中でのコンパクトな貯蔵
を可能とする。それは取り扱いの問題を生じさせず、すぐに入手でき、かなり安価である
。
【０００５】
ＳＦ６はガスで絶縁された設備において、絶縁能力、沸点、圧縮可能性、化学的安定性
および無毒性のような特徴に基づいて、誘電体として空気に置き換わった。今までに、純
粋なＳＦ６、またはＳＦ６−窒素混合物が最適のガスであることが分かっている。
【０００６】
しかし、ＳＦ６はいくつかの望ましくない特性を有する：それは放電に晒された際に毒
性および腐食性の高い化合物を形成し得る（例えば、Ｓ２Ｆ１０、ＳＯＦ２）；無極性の
汚染物質（例えば、空気、ＣＦ４）は、それから容易に除去することができない；その絶
縁破壊電圧が水蒸気、伝導性粒子、および伝導体の表面の粗さの影響を受けやすい；なら
びに、それは環境において直面し得る最も低い温度において、すなわち寒冷な気候条件（
約−５０℃）において、理想的でないガスのふるまいを示し、ＳＦ６は普通の使用圧力（
４００ｋＰａ〜５００ｋＰａ）において部分的に液化する。ＳＦ６は効率的な赤外線（Ｉ
Ｒ）の吸収体でもあり、それが化学的に不活性であることにより、地球の大気から迅速に
除去されない。その化学的不活性（およびＳＦ６分子内に塩素および臭素原子がないこと
）によりそれは成層圏でのオゾン破壊に関しては無害であるにも関わらず、これらの後者
の特性の両方が、ＳＦ６を強力な温室効果ガスにしている。
【０００７】
すなわち、温室効果ガスは地球により放射された赤外線の一部を吸収してそれを放射し
返すことによりそれを地球に戻す大気ガスである。強力な温室効果ガスは、おおよそ７μ
ｍから１３μｍまでの波長範囲において強い赤外吸収を有する。それらは環境において自
然に（例えば、Ｈ２Ｏ、ＣＯ２、ＣＨ４、Ｎ２Ｏ）、および放出される可能性のある人工
のガスとして（例えば、ＳＦ６；全フッ素置換化合物（ＰＦＣ）；燃焼産物、例えばＣＯ
２、窒素、および硫黄酸化物）生じる。自然に生じた温室効果ガスによる地球からの長波
長赤外線の効果的な捕獲、およびその地球へ戻す再放射は、結果として地球の表面の平均
温度の上昇をもたらす。気候変化への人の影響は、多くの国における人工温室効果ガスの
放出を規制する京都議定書の履行を促した環境問題である。
【０００８】
ＳＦ６は、特に１０．５μｍ付近の波長の赤外線の効率的な吸収体である。さらに、ほ
とんどの他の自然に発生する温室効果ガス（例えば、ＣＯ２、ＣＨ４）とは異なり、ＳＦ
６はゆっくりとしか分解しない；従って、その地球温暖化への寄与は累積的であり長続き
すると予想される。ＳＦ６の強い赤外吸収および環境におけるその長い寿命は、その極め
て高い地球温暖化係数の理由であり、これは１００年間の期間の間で、温室効果への主な
寄与者であるＣＯ２のそれよりも（単位質量あたり）おおよそ２２，２００倍大きいと見
積もられている。環境におけるＳＦ６の存在についての懸念は、もっぱら温室効果ガスと
してのそれの効力のこの非常に高い値に由来している。
【０００９】
従って、電気設備産業の多くは、高電圧電気設備におけるＳＦ６の使用を減らすのに適
した代替ガスを捜し求めるのに相当な時間と努力を費やしてきた。今までに、可能性のあ
る代替ガスが次のように確認された：（ｉ）それに関する大量の研究結果が入手可能であ
る、ＳＦ６および窒素の混合物；（ｉｉ）それに関して、より少なくはあるがかなりの量
のデータが入手可能である、ガスおよび混合物（例えば、純粋な窒素、Ｎ２中の低濃度の
ＳＦ６、およびＳＦ６−Ｈｅ混合物）；ならびに、（ｉｉｉ）それに関してほとんど実験
データが入手できない、可能性のあるガス。
【００１０】
提案されたいくつかの代替物は、ＳＦ６よりも高いＧＷＰを有する。例えば、ＣＦ３Ｓ
Ｆ５はこのカテゴリーに入る。その化学物質の製造、輸送、充填および使用における漏洩
排出（ｆｕｇｉｔｉｖｅ  ｅｍｉｓｓｉｏｎ）のため、それらは避けられるべきである。
【００１１】
しかし、本発明者らは、ＳＦ６の環境における難点を考えれば、伝統的に重要であると
考えられてきた必要条件のいくつかをゆるめて代替ガスとして受け入れ、より低いＧＷＰ
を有する候補で妥協する必要があると決心した。例えば、無毒性であるガスはしばしば不
活性であり大気において長い寿命を有し、これは高いＧＷＰをもたらし得る。ＳＦ６より
もいくらか反応性の高いガスを受け入れることで、ＧＷＰを大きく低減し得る。これらの
用途において最適な代替物を見つけるためには、わずかにより毒性の強い物質を受け入れ
ることも必要かもしれない。その毒性の増大は設備の漏洩率の低減または監視設備の取り
付けにより埋め合わせ得る。ある場合において、本発明者らによりＳＦ６の適切な代替物
として見いだされたガスは、低濃度で効率的であることが示され、窒素および／または別
の無毒性ガスと混合して大きく低減した毒性および許容し得るほどに低いＧＷＰを有する
誘電体を与えることができる。
【００１２】
本発明者らにより見いだされた、ＳＦ６の代替物としての使用のための独特のガス状化
合物は、それらはそれらに最適化された特別な電気設備で用いられるのが好ましいであろ
うが、いくつかの既存の電気設備で用いることができる。本開示のガス状化合物は純粋な
形で用いられるのが好ましいが、共沸混合物の一部として、または適切な第２のガス、例
えば窒素、ＣＯ２もしくはＮ２Ｏとの混合物として使用することもできる。
【発明の概要】
【００１３】
次の特性を示す誘電性ガス状化合物：約−２０℃〜約−２７３℃の範囲内の沸点；オゾ
ン破壊が少ない、好ましくは全くない；約２２，２００より低いＧＷＰ；負の標準生成エ
ンタルピー（ｄＨｆ＜０）により判定される、化学的安定性；その誘電性ガスが漏れた場
合に有効希釈濃度がそのＰＥＬ（すなわち、少なくとも約０．３ｐｐｍである職業暴露限
界値（ＯＥＬまたはＴＬＶ））を越えないような毒性レベル；および、空気よりも大きい
絶縁耐力。
【００１４】
誘電性ガス状化合物は、次のものからなるグループから選択される少なくとも１種類の
化合物である：
五フッ化ヒ素
アルシン
四フッ化二ホウ素
ジボラン
過塩素酸、２−クロロ−１，１，２，２−テトラフルオロエチルエステル（９ＣＩ）
過塩素酸、１，２，２−トリクロロ−１，２−ジフルオロエチルエステル
トリフルオロアセチル  クロリド
トリフルオロメチルイソシアニド（ＣＦ３−ＮＣ）
トリフルオロメチル  イソシアニド
トリフルオロ−ニトロソ−エテン／／トリフルオロ−ニトロソ−エテン（ｔｒｉｆｌｕ
ｏｒｏ−ｎｉｔｒｏｓｏ−ｅｔｈｅｎｅ／／Ｔｒｉｆｌｕｏｒ−ｎｉｔｒｏｓｏ−ａｅｔ
ｈｅｎ）
テトラフルオロエテン
３，３，４，４−テトラフルオロ−３，４−ジヒドロ−［１，２］ジアゼト
（ジフルオロアミノ）ジフルオロアセトニトリル
テトラフルオロオキシラン
トリフルオロアセチル  フルオリド
ペルフルオロメチルフルオロホルミアート（Ｐｅｒｆｌｕｏｒｍｅｔｈｙｌｆｌｕｏｒ
ｆｏｒｍｉａｔ）
トリフルオロ−アセチル  ハイポフルオライト
ペルフルオロ−２−アザ−１−プロペン
ペルフルオロ−２−アザ−１−プロペン（ドイツ語）
Ｎ−フルオロ−テトラフルオロ−１−エタニミン（ドイツ語）
３，３−ジフルオロ−２−トリフルオロメチル−オキサジリジン
ビス−トリフルオロメチル−ジアゼン／／ヘキサフルオロ−＃シス！−アゾメタン
フルオロオキシペンタフルオロエタン
ビス−トリフルオロメチル  ペルオキシド
１，１−ビス（フルオロオキシ）テトラフルオロエタン
ヘキサフルオロジメチル  スルフィド
３−フルオロ−３＃Ｈ！−ジアジリン−３−カルボニトリル
エチン
１，２，２−トリフルオロ−アジリジン
ケテン
（ジフルオロ）ビニルボラン
（ジフルオロ）ビニルボラン（ドイツ語）
トリフルオロ−ビニル−シラン
エチニルシラン
エチル−ジフルオロ−ボラン
エチル−ジフルオロ−ボラン（ドイツ語）
メチル−メチレン−アミン
ジメチルエーテル
ビニル−シラン
ジメチルシラン
クロロエチン
フルオロエチン／／フルオロ−アセチレン
エタンジニトリル
テトラフルオロプロピン／／１，３，３，３−テトラフルオロプロピン
ヘキサフルオロ−オキセタン
トリフルオロ（トリフルオロメチル）オキシラン
１，１，１，３，３，３−ヘキサフルオロプロパノン
ペンタフルオロ−プロピオニル  フルオリド／／ペルフルオロプロピオニル  フルオリ
ド
トリフルオロメチル  トリフルオロビニルエーテル
１−プロピン
シクロプロパン
プロパン
トリメチルボラン
シアノケテン
ブタトリエン
シアノ−ビスペンタフルオロエチル−ホスフィン
トリメチル−１，１，２，２−テトラフルオロエチルシラン
メチル  ジボラン
メチルジボラン（ドイツ語）
カルボニル  ブロミド  フルオリド
クロロ−ジフルオロ−ニトロソ−メタン／／クロロ−ジフルオロ−ニトロソ−メタン（
ｃｈｌｏｒｏ−ｄｉｆｌｕｏｒｏ−ｎｉｔｒｏｓｏ−ｍｅｔｈａｎｅ／／Ｃｈｌｏｒ−ｄ
ｉｆｌｕｏｒ−ｎｉｔｒｏｓｏ−ｍｅｔｈａｎ）
クロロペルオキシトリフルオロメタン
カルボニルクロリド−フルオリド
カルボニクロリドフルオリド（Ｃａｒｂｏｎｙｃｈｌｏｒｉｄｆｌｕｏｒｉｄ）（ド
イツ語）
３，３−ジフルオロ−３＃Ｈ！−ジアジリン
ジフルオロ  ジアゾメタン
ジフルオロジアゾメタン（ドイツ語）
カルボニル  フルオリド
ジフルオロジオキシラン
ジフルオロ−（３−フルオロ−３＃Ｈ！−ジアジリン−３−イル）−アミン
トリフルオロメチルアジド
トリフルオロメチルアジド（ドイツ語）
テトラフルオロ−ジアジリジン
フルオロペルオキシトリフルオロメタン
ビス（フルオロオキシ）ジフルオロメタン
トリフルオロメチル−ホスホニルフルオリド
フッ化シアン
トリフルオロメチルホスファン（ドイツ語）
ジアゾメタン
ホルムアルデヒド／／ホルマリン
（メチル）ジフルオロボラン
（メチル）ジフルオロボラン（ドイツ語）
クロロメタン
メチルホスホナス酸  ジフルオリド／／ジフルオロ−メチル−ホスフィン
トリフルオロ−メトキシ−シラン
メチルハイポフルオリド
メタン
メチルシラン
＃Ｓｉ！−ブロモ−＃Ｓｉ！，＃Ｓｉ！’−メタンジイル−ビス−シラン
＃Ｓｉ！−ヨード−＃Ｓｉ！，＃Ｓｉ！’−メタンジイル−ビス−シラン
ジフルオロメチルニトライト
トリフルオロメタノール
ホルミルフルオリド
シアン酸
塩素
フッ化塩素
三酸化フッ化塩素
カーボン  オキシド  セレニド／／コーレンオキシドセレニド（ｃａｒｂｏｎ  ｏｘｉ
ｄｅ  ｓｅｌｅｎｉｄｅ／／Ｋｏｈｌｅｎｏｘｉｄｓｅｌｅｎｉｄ）
フッ素
ジフルオロシラン
酸化フッ素
過酸化フッ素
フッ化スルフリル
二フッ化硫黄
三フッ化酸化リン
三フッ化硫化リン
テトラフルオロホスホラン
テトラフルオロヒドラジン
四フッ化硫黄
ヘキサフルオロ  ジシロキサン
ヘキサフルオロジシロキサン（ドイツ語）
フッ化ニトリル
水素
セレン化水素
三水素化リン
水素化ゲルマニウム
シラン
四水素化スズ
酸素
オゾン
一リン化アンチモン
一リン化二ケイ素
ラドン
アルゴン
トリフルオロボラン
臭化水素
ブロモペンタフルオロエタン
クロロトリフルオロエテン
トリフルオロアセトニトリル
トリフルオロメチル  イソシアネート
トリフルオロメチル  チオカルボニル  フルオリド
トリフルオロメチルチオカルボニルフルオリド（ドイツ語）
ペンタフルオロ−ニトロソ−エタン／／ペンタフルオロ−ニトロソ−エタン（ｐｅｎｔ
ａｆｌｕｏｒｏ−ｎｉｔｒｏｓｏ−ｅｔｈａｎｅ／／Ｐｅｎｔａｆｌｕｏｒ−ｎｉｔｒｏ
ｓｏ−ａｅｔｈａｎ）
（トリフルオロメチル−カルボニル）−ジフルオロ−アミン
ヘキサフルオロエタン
ビス−トリフルオロメチル−ニトロキシド
ビス−トリフルオロメチルエーテル
ビス（トリフルオロメチル）テルル
ビス（トリフルオロメチル）  ジテルリド
Ｎ，Ｎ−ジフルオロ−ペンタフルオロエチルアミン（ドイツ語）
Ｎ−フルオロ−ビス（トリフルオロメチル）−アミン（ドイツ語）
Ｎ−フルオロ−Ｎ−トリフルオロメトキシ−ペルフルオロメチルアミン（ドイツ語）
フルオロホルミル  シアニド
１−クロロ−１−フルオロ−エテン／／１−クロロ−１−フルオロ−エテン／／１−ク
ロロ−１−フルオロエチレン（１−ｃｈｌｏｒｏ−１−ｆｌｕｏｒｏ−ｅｔｈｅｎｅ／／
１−Ｃｈｌｏｒ−１−ｆｌｕｏｒ−ａｅｔｈｅｎ／／１−ｃｈｌｏｒｏ−１−ｆｌｕｏｒ
ｏｅｔｈｙｌｅｎｅ）
１，１−ジフルオロエテン
＃トランス！−１，２−ジフルオロ−エテン／／＃トランス！−ビニレン  ジフルオリ
ド／／（Ｅ）−１，２−ジフルオロエチレン／／（Ｅ）−１，２−ジフルオロ−エテン／
／＃トランス！−ビニレン  フルオリド
１，２−ジフルオロ−エテン／／＃シス！−ビニレン  ジフルオリド／／１，２−ジフ
ルオロ−エテン／／ビニレン  フルオリド（１，２−ｄｉｆｌｕｏｒｏ−ｅｔｈｅｎｅ／
／＃ｃｉｓ！−ｖｉｎｙｌｅｎｅ  ｄｉｆｌｕｏｒｉｄｅ／／１，２−Ｄｉｆｌｕｏｒ−
ａｅｔｈｅｎ／／ｖｉｎｙｌｅｎｅ  ｆｌｕｏｒｉｄｅ）
＃シス！−１，２−ジフルオロ−エテン／／＃シス！−ビニレン  ジフルオリド／／（
Ｚ）−１，２−ジフルオロエチレン／／（Ｚ）−１，２−ジフルオロ−エテン／／＃シス
！−ビニレン  フルオリド
１，１，１，２−テトラフルオロエタン
１，１，２，２−テトラフルオロエタン
フルオロエテン
１，１，１−トリフルオロエタン
エーテル、メチル  トリフルオロメチル
エテン
１，１−ジフルオロエタン
フルオロエタン
エタン
フルオロ−ジメチル−ボラン
ジシロキサン，１，１，３，３−テトラフルオロ−１，３−ジメチル−
トリフルオロエテン
トリフルオロアセトアルデヒド／／トリフルオロ−アセトアルデヒド（ｔｒｉｆｌｕｏ
ｒｏａｃｅｔａｌｄｅｈｙｄｅ／／Ｔｒｉｆｌｕｏｒ−ａｃｅｔａｌｄｅｈｙｄ）
ペンタフルオロエタン
ジフルオロメチル  トリフルオロメチルエーテル
トリス（トリフルオロメチル）ビスマス
テトラフルオロプロパジエン／／テトラフルオロ−アレン／／１，１，３，３−テトラ
フルオロ−１，２−プロパジエン
テトラフルオロシクロプロペン
ペルフルオロプロピオニルヨージド
ペンタフルオロ−プロピオニトリル／／ペンタフルオロプロピオノニトリル
ヘキサフルオロ−シクロプロパン／／ヘキサフルオロ−シクロプロパン／／フレオン−
＃Ｃ！２１６（ｈｅｘａｆｌｕｏｒｏ−ｃｙｃｌｏｐｒｏｐａｎｅ／／Ｈｅｘａｆｌｕｏ
ｒ−ｃｙｃｌｏｐｒｏｐａｎ／／ｆｒｅｏｎ−＃Ｃ！２１６）
ヘキサフルオロプロピレン
ヘキサフルオロ−［１，３］ジオキソラン
オクタフルオロプロパン
ペルフルオロメチルエチルエーテル
１，１−ジフルオロ−プロパジエン／／アレニリデン  ジフルオリド／／１，１−ジフ
ルオロ−アレン
２，３，３，３−テトラフルオロ−プロペン／／ＨＦＯ−１２３４ｙｆ
トランス  ＨＦＯ−１２３４ｚｅ
３，３，３−トリフルオロプロペン
シクロプロペン
アレン
１，１−ジフルオロ−プロペン／／プロペニリデン  ジフルオリド／／１，１−ジフル
オロ−プロペン（１，１−ｄｉｆｌｕｏｒｏ−ｐｒｏｐｅｎｅ／／ｐｒｏｐｅｎｙｌｉｄ
ｅｎｅ  ｄｉｆｌｕｏｒｉｄｅ／／１，１−Ｄｉｆｌｕｏｒ−ｐｒｏｐｅｎ）
メチルケテン
２−フルオロプロペン
１−プロペン
ＤＬ−２−アミノプロピオン酸
３，３，３−トリフルオロ−プロピン／／３，３，３−トリフルオロ−プロピン／／ト
リフルオロメチル−エチン／／３，３，３−トリフルオロ−１−プロピン（３，３，３−
ｔｒｉｆｌｕｏｒｏ−ｐｒｏｐｙｎｅ／／３，３，３−Ｔｒｉｆｌｕｏｒ−ｐｒｏｐｉｎ
／／ｔｒｉｆｌｕｏｒｏｍｅｔｈｙｌ−ｅｔｈｙｎｅ／／３，３，３−ｔｒｉｆｌｕｏｒ
ｏ−１−ｐｒｏｐｙｎｅ）
１，１，３，３，３−ペンタフルオロ−プロペン／／１，１，３，３，３−ペンタフル
オロ−プロペン（１，１，３，３，３−ｐｅｎｔａｆｌｕｏｒｏ−ｐｒｏｐｅｎｅ／／１
，１，３，３，３−Ｐｅｎｔａｆｌｕｏｒ−ｐｒｏｐｅｎ）
１，２，３，３，３−ペンタフルオロ−プロペン
１，１，１，４，４，４−ヘキサフルオロ−２−ブチン
１，１，４，４−テトラフルオロ−ブタン−２，３−ジオン
トリフルオロメチルハイポクロライト
クロロ−ジフルオロ−メチル−ハイポフルオライト
Ｎ−クロロ−Ｎ−フルオロ−トリフルオロメチルアミン（ドイツ語）
クロロジフルオロジフルオロアミノメタン
チオカルボニル  ジフルオリド
チオカルボニルジフルオリド（ドイツ語）
セレノカルボニル  ジフルオリド
トリフルオロヨードメタン
Ｎ−フルオロ−ジフルオロメタンイミン（ドイツ語）
トリフルオロ−ニトロソ−メタン／／トリフルオロ−ニトロソ−メタン（ｔｒｉｆｌｕ
ｏｒｏ−ｎｉｔｒｏｓｏ−ｍｅｔｈａｎｅ／／Ｔｒｉｆｌｕｏｒ−ｎｉｔｒｏｓｏ−ｍｅ
ｔｈａｎ）
ジフルオロ−カルバモイル  フルオリド
トリフルオロ−ニトロ−メタン／／トリフルオロ−ニトロ−メタン／／フルオロピクリ
ン（ｔｒｉｆｌｕｏｒｏ−ｎｉｔｒｏ−ｍｅｔｈａｎｅ／／Ｔｒｉｆｌｕｏｒ−ｎｉｔｒ
ｏ−ｍｅｔｈａｎ／／ｆｌｕｏｒｏｐｉｃｒｉｎ）
テトラフルオロメタン
テトラフルオロホルムアミジン（ドイツ語）
テトラフルオロ尿素
次亜フッ素酸  トリフルオロメチルエステル／／次亜フッ素酸  トリフルオロメチルエ
ステル／／トリフルオロメチル  ハイポフルオライト（ｈｙｐｏｆｌｕｏｒｏｕｓ  ａｃ
ｉｄ  ｔｒｉｆｌｕｏｒｏｍｅｔｈｙｌ  ｅｓｔｅｒ／／Ｈｙｐｏｆｌｕｏｒｉｇｓａｅ
ｕｒｅ−ｔｒｉｆｌｕｏｒｍｅｔｈｙｌｅｓｔｅｒ／／ｔｒｉｆｌｕｏｒｏｍｅｔｈｙｌ
ｈｙｐｏｆｌｕｏｒｉｔｅ）
トリフルオロメタンスルホニル  フルオリド
Ｎ，Ｎ−ジフルオロ−トリフルオロメチルアミン（ドイツ語）
トリフルオロメチルオキシジフルオロアミン
（ジフルオロアミノキシ）ジフルオロメチルハイポフルオライト
スルフルシアニド  ペンタフルオリド
スルフルシアニド−ペンタフルオリド（ドイツ語）
ジフルオロ−トリフルオロメチル−ホスフィン
ヘキサフルオロメタンジアミン
ペルフルオロ  メチル  シラン
ペルフルオロメチルシラン（ドイツ語）
トリフルオロメチル-テトラフルオロホスホラン(ドイツ語)
ジフルオロメタン
フルオロヨードメタン
フルオロメタン／／メチル  フルオリド／／フルオロ−メタン／／フレオン−４１（ｆ
ｌｕｏｒｏｍｅｔｈａｎｅ／／ｍｅｔｈｙｌ  ｆｌｕｏｒｉｄｅ／／Ｆｌｕｏｒ−ｍｅｔ
ｈａｎ／／ｆｒｅｏｎ−４１）
トリフルオロメチル−シラン”  ＣＦ３ＳｉＨ３
メチルトリフルオロシラン
ジフルオロ−メチル−シラン
フルオロ−メチル−シラン
メチルゲルマン
ジフルオロホルムイミン
トリフルオロメタン
トリフルオロメタン  チオール
トリフルオロメタンチオール（ドイツ語）
Ｎ，Ｎ，１，１−テトラフルオロメチルアミン
ジフルオロ  ジクロロシラン
ジフルオロジクロロシラン（ドイツ語）
ジフルオロ  クロロシラン
ジフルオロクロロシラン（ドイツ語）
塩化二フッ化リン  
クロロトリフルオロシラン
塩化水素
クロロシラン
一酸化炭素
二酸化炭素
硫化カルボニル
ジフルオロアミン
トランス−ジフルオロジアジン
シス−ジフルオロジアジン
フッ化チオニル
トリフルオロシラン
三フッ化窒素
トリフルオロアミン  オキシド
三フッ化チアジル
三フッ化リン
フッ化ゲルマニウム（ＩＶ）
テトラフルオロシラン（Ｔｅｔｒａｆｕｏｒｏｓｉｌａｎｅ）
五フッ化リン
六フッ化セレン
六フッ化テルル
フルオロシラン
フッ化ニトロシル
硝酸フッ素
硫化水素
アンモニア
ヘリウム
ヨウ化水素
クリプトン
窒素
一酸化二窒素
ネオン
窒素酸化物；および
キセノン。
【００１５】
より好ましくは、誘電性化合物は次のものからなるグループから選択できる：
アルゴン
トリフルオロボラン
臭化水素
ブロモペンタフルオロエタン
クロロトリフルオロエテン
トリフルオロアセトニトリル
トリフルオロメチル  イソシアネート
トリフルオロメチル  チオカルボニル  フルオリド
トリフルオロメチルチオカルボニルフルオリド（ドイツ語）
ペンタフルオロ−ニトロソ−エタン／／ペンタフルオロ−ニトロソ−エタン（ｐｅｎｔ
ａｆｌｕｏｒｏ−ｎｉｔｒｏｓｏ−ｅｔｈａｎｅ／／Ｐｅｎｔａｆｌｕｏｒ−ｎｉｔｒｏ
ｓｏ−ａｅｔｈａｎ）
（トリフルオロメチル−カルボニル）−ジフルオロ−アミン
ヘキサフルオロエタン
ビス−トリフルオロメチル−ニトロキシド
ビス−トリフルオロメチルエーテル
ビス（トリフルオロメチル）テルル
ビス（トリフルオロメチル）  ジテルリド
Ｎ，Ｎ−ジフルオロ−ペンタフルオロエチルアミン（ドイツ語）
Ｎ−フルオロ−ビス（トリフルオロメチル）−アミン（ドイツ語）
Ｎ−フルオロ−Ｎ−トリフルオロメトキシ−ペルフルオロメチルアミン（ドイツ語）
フルオロホルミル  シアニド
１−クロロ−１−フルオロ−エテン／／１−クロロ−１−フルオロ−エテン／／１−ク
ロロ−１−フルオロエチレン（１−ｃｈｌｏｒｏ−１−ｆｌｕｏｒｏ−ｅｔｈｅｎｅ／／
１−Ｃｈｌｏｒ−１−ｆｌｕｏｒ−ａｅｔｈｅｎ／／１−ｃｈｌｏｒｏ−１−ｆｌｕｏｒ
ｏｅｔｈｙｌｅｎｅ）
１，１−ジフルオロエテン
＃トランス！−１，２−ジフルオロ−エテン／／＃トランス！−ビニレン  ジフルオリ
ド／／（Ｅ）−１，２−ジフルオロエチレン／／（Ｅ）−１，２−ジフルオロ−エテン／
／＃トランス！−ビニレン  フルオリド
１，２−ジフルオロ−エテン／／＃シス！−ビニレン  ジフルオリド／／１，２−ジフ
ルオロ−エテン／／ビニレン  フルオリド（１，２−ｄｉｆｌｕｏｒｏ−ｅｔｈｅｎｅ／
／＃ｃｉｓ！−ｖｉｎｙｌｅｎｅ  ｄｉｆｌｕｏｒｉｄｅ／／１，２−Ｄｉｆｌｕｏｒ−
ａｅｔｈｅｎ／／ｖｉｎｙｌｅｎｅ  ｆｌｕｏｒｉｄｅ）
＃シス！−１，２−ジフルオロ−エテン／／＃シス！−ビニレン  ジフルオリド／／（
Ｚ）−１，２−ジフルオロエチレン／／（Ｚ）−１，２−ジフルオロ−エテン／／＃シス
！−ビニレン  フルオリド
１，１，１，２−テトラフルオロエタン
１，１，２，２−テトラフルオロエタン
フルオロエテン
１，１，１−トリフルオロエタン
エーテル、メチル  トリフルオロメチル
エテン
１，１−ジフルオロエタン
フルオロエタン
エタン
フルオロ−ジメチル−ボラン
ジシロキサン，１，１，３，３−テトラフルオロ−１，３−ジメチル−
トリフルオロエテン
トリフルオロアセトアルデヒド／／トリフルオロ−アセトアルデヒド（ｔｒｉｆｌｕｏ
ｒｏａｃｅｔａｌｄｅｈｙｄｅ／／Ｔｒｉｆｌｕｏｒ−ａｃｅｔａｌｄｅｈｙｄ）
ペンタフルオロエタン
ジフルオロメチル  トリフルオロメチルエーテル
トリス（トリフルオロメチル）ビスマス
テトラフルオロプロパジエン／／テトラフルオロ−アレン／／１，１，３，３−テトラ
フルオロ−１，２−プロパジエン
テトラフルオロシクロプロペン
ペルフルオロプロピオニルヨージド
ペンタフルオロ−プロピオニトリル／／ペンタフルオロプロピオノニトリル
ヘキサフルオロ−シクロプロパン／／ヘキサフルオロ−シクロプロパン／／フレオン−
＃Ｃ！２１６（ｈｅｘａｆｌｕｏｒｏ−ｃｙｃｌｏｐｒｏｐａｎｅ／／Ｈｅｘａｆｌｕｏ
ｒ−ｃｙｃｌｏｐｒｏｐａｎ／／ｆｒｅｏｎ−＃Ｃ！２１６）
ヘキサフルオロプロピレン
ヘキサフルオロ−［１，３］ジオキソラン
オクタフルオロプロパン
ペルフルオロメチルエチルエーテル
１，１−ジフルオロ−プロパジエン／／アレニリデン  ジフルオリド／／１，１−ジフ
ルオロ−アレン
２，３，３，３−テトラフルオロ−プロペン／／ＨＦＯ−１２３４ｙｆ
トランス  ＨＦＯ−１２３４ｚｅ
３，３，３−トリフルオロプロペン
シクロプロペン
アレン
１，１−ジフルオロ−プロペン／／プロペニリデン  ジフルオリド／／１，１−ジフル
オロ−プロペン（１，１−ｄｉｆｌｕｏｒｏ−ｐｒｏｐｅｎｅ／／ｐｒｏｐｅｎｙｌｉｄ
ｅｎｅ  ｄｉｆｌｕｏｒｉｄｅ／／１，１−Ｄｉｆｌｕｏｒ−ｐｒｏｐｅｎ）
メチルケテン
２−フルオロプロペン
１−プロペン
ＤＬ−２−アミノプロピオン酸
３，３，３−トリフルオロ−プロピン／／３，３，３−トリフルオロ−プロピン／／ト
リフルオロメチル−エチン／／３，３，３−トリフルオロ−１−プロピン（３，３，３−
ｔｒｉｆｌｕｏｒｏ−ｐｒｏｐｙｎｅ／／３，３，３−Ｔｒｉｆｌｕｏｒ−ｐｒｏｐｉｎ
／／ｔｒｉｆｌｕｏｒｏｍｅｔｈｙｌ−ｅｔｈｙｎｅ／／３，３，３−ｔｒｉｆｌｕｏｒ
ｏ−１−ｐｒｏｐｙｎｅ）
１，１，３，３，３−ペンタフルオロ−プロペン／／１，１，３，３，３−ペンタフル
オロ−プロペン（１，１，３，３，３−ｐｅｎｔａｆｌｕｏｒｏ−ｐｒｏｐｅｎｅ／／１
，１，３，３，３−Ｐｅｎｔａｆｌｕｏｒ−ｐｒｏｐｅｎ）
１，２，３，３，３−ペンタフルオロ−プロペン
１，１，１，４，４，４−ヘキサフルオロ−２−ブチン
１，１，４，４−テトラフルオロ−ブタン−２，３−ジオン
トリフルオロメチルハイポクロライト
クロロ−ジフルオロ−メチル−ハイポフルオライト
Ｎ−クロロ−Ｎ−フルオロ−トリフルオロメチルアミン（ドイツ語）
クロロジフルオロジフルオロアミノメタン
チオカルボニル  ジフルオリド
チオカルボニルジフルオリド（ドイツ語）
セレノカルボニル  ジフルオリド
トリフルオロヨードメタン
Ｎ−フルオロ−ジフルオロメタンイミン（ドイツ語）
トリフルオロ−ニトロソ−メタン／／トリフルオロ−ニトロソ−メタン（ｔｒｉｆｌｕ
ｏｒｏ−ｎｉｔｒｏｓｏ−ｍｅｔｈａｎｅ／／Ｔｒｉｆｌｕｏｒ−ｎｉｔｒｏｓｏ−ｍｅ
ｔｈａｎ）
ジフルオロ−カルバモイル  フルオリド
トリフルオロ−ニトロ−メタン／／トリフルオロ−ニトロ−メタン／／フルオロピクリ
ン（ｔｒｉｆｌｕｏｒｏ−ｎｉｔｒｏ−ｍｅｔｈａｎｅ／／Ｔｒｉｆｌｕｏｒ−ｎｉｔｒ
ｏ−ｍｅｔｈａｎ／／ｆｌｕｏｒｏｐｉｃｒｉｎ）
テトラフルオロメタン
テトラフルオロホルムアミジン（ドイツ語）
テトラフルオロ尿素
次亜フッ素酸  トリフルオロメチルエステル／／次亜フッ素酸  トリフルオロメチルエ
ステル／／トリフルオロメチル  ハイポフルオライト（ｈｙｐｏｆｌｕｏｒｏｕｓ  ａｃ
ｉｄ  ｔｒｉｆｌｕｏｒｏｍｅｔｈｙｌ  ｅｓｔｅｒ／／Ｈｙｐｏｆｌｕｏｒｉｇｓａｅ
ｕｒｅ−ｔｒｉｆｌｕｏｒｍｅｔｈｙｌｅｓｔｅｒ／／ｔｒｉｆｌｕｏｒｏｍｅｔｈｙｌ
ｈｙｐｏｆｌｕｏｒｉｔｅ）
トリフルオロメタンスルホニル  フルオリド
Ｎ，Ｎ−ジフルオロ−トリフルオロメチルアミン（ドイツ語）
トリフルオロメチルオキシジフルオロアミン
（ジフルオロアミノキシ）ジフルオロメチルハイポフルオライト
スルフルシアニド  ペンタフルオリド
スルフルシアニド−ペンタフルオリド（ドイツ語）
ジフルオロ−トリフルオロメチル−ホスフィン
ヘキサフルオロメタンジアミン
ペルフルオロ  メチル  シラン
ペルフルオロメチルシラン（ドイツ語）
トリフルオロメチル-テトラフルオロホスホラン(ドイツ語)
ジフルオロメタン
フルオロヨードメタン
フルオロメタン／／メチル  フルオリド／／フルオロ−メタン／／フレオン−４１（ｆ
ｌｕｏｒｏｍｅｔｈａｎｅ／／ｍｅｔｈｙｌ  ｆｌｕｏｒｉｄｅ／／Ｆｌｕｏｒ−ｍｅｔ
ｈａｎ／／ｆｒｅｏｎ−４１）
トリフルオロメチル−シラン”  ＣＦ３ＳｉＨ３
メチルトリフルオロシラン
ジフルオロ−メチル−シラン
フルオロ−メチル−シラン
メチルゲルマン
ジフルオロホルムイミン
トリフルオロメタン
トリフルオロメタン  チオール
トリフルオロメタンチオール（ドイツ語）
Ｎ，Ｎ，１，１−テトラフルオロメチルアミン
ジフルオロ  ジクロロシラン
ジフルオロジクロロシラン（ドイツ語）
ジフルオロ  クロロシラン
ジフルオロクロロシラン（ドイツ語）
塩化二フッ化リン  
クロロトリフルオロシラン
塩化水素
クロロシラン
一酸化炭素
二酸化炭素
硫化カルボニル
ジフルオロアミン
トランス−ジフルオロジアジン
シス−ジフルオロジアジン
フッ化チオニル
トリフルオロシラン
三フッ化窒素
トリフルオロアミン  オキシド
三フッ化チアジル
三フッ化リン
フッ化ゲルマニウム（ＩＶ）
テトラフルオロシラン（Ｔｅｔｒａｆｕｏｒｏｓｉｌａｎｅ）
五フッ化リン
六フッ化セレン
六フッ化テルル
フルオロシラン
フッ化ニトロシル
硝酸フッ素
硫化水素
アンモニア
ヘリウム
ヨウ化水素
クリプトン
窒素
一酸化二窒素
ネオン
窒素酸化物；および
キセノン。
【００１６】
誘電性ガス状化合物は、場合により共沸混合物のような形であり、これはその混合物の
扱いにおいて多くの利点を与える。誘電性ガス状化合物に好ましい混合物には、窒素、Ｃ
Ｏ２およびＮ２Ｏからなるグループから選択される追加の１種類のガスが含まれる。
【００１７】
本開示は電気設備での使用のための絶縁ガスも含み、この絶縁ガスは次の特性を示す誘
電性ガス状化合物である：約−２０℃〜約−２７３℃の範囲内の沸点；オゾン破壊が少な
い、好ましくは全くない；約２２，２００より低いＧＷＰ；負の標準生成エンタルピー（
ｄＨｆ＜０）により判定される、化学的安定性；その誘電性ガスが漏れた場合に有効希釈
濃度がそのＰＥＬ（すなわち、少なくとも約０．３ｐｐｍである職業暴露限界値（ＯＥＬ
またはＴＬＶ））を越えないような毒性レベル；および、空気よりも大きい絶縁耐力。
【００１８】
好ましくは、電気設備は次のものからなるグループから選択される少なくとも１種類を
含む：ガスで絶縁されたサーキットブレーカーおよび電流遮断設備、ガスで絶縁された送
電線、ガスで絶縁された変圧器、またはガスで絶縁された変電所。
【発明を実施するための形態】
【００１９】
本開示の化合物は、電気エネルギーの伝達および配布において用いられる電気的絶縁な
らびにアーク消去および電流遮断設備のためのガス相において有用である。概して、本開
示のガスを絶縁および／または遮断の目的のために用いることができる４種類の主要な型
の電気設備が存在する：（１）ガスで絶縁されたサーキットブレーカーおよび電流遮断設
備、（２）ガスで絶縁された送電線、（３）ガスで絶縁された変圧器、ならびに（４）ガ
スで絶縁された変電所。そのガスで絶縁された設備は、世界中の電力の伝達および配布シ
ステムの主要な構成要素である。それは土地の使用のかなりの節約を提供し、審美的に許
容可能であり、比較的低い電波および可聴ノイズの放出を有し、ならびに変電所がその負
荷に近い居住地区に設置されるのを可能とする。
【００２０】
ガスで絶縁される設備の個別の機能によって、最も重要であるガスの特性は異なる。
サーキットブレーカーに関しては、速い熱的および誘電性の回復（抵抗率の増大に関す
る短い時間定数）と共に、そのガスの優れた熱伝導性および高い絶縁耐力が、その高い遮
断能力の主な理由である。これらの特性は、ガスがアークの伝導（アークプラズマ）およ
び誘電状態の間で急速に移り変わり、回復電圧の上昇に耐えることを可能にする。
【００２１】
ガスで絶縁された変圧器に関しては、誘電性の特徴に加えて冷却能力、固体物質との共
存可能性、および部分的な放電の特徴が、それらをこの型の電気設備において用いるため
に望ましい媒体とする。それらの化合物は油による絶縁を越えるはっきりした利点を持ち
、これには油に関連する火の安全性の問題または環境問題がないこと、高い信頼性、柔軟
な設計、メンテナンスがほとんどいらないこと、長い実用寿命、より低いノイズ、よりよ
い取り扱い、およびより軽い設備が含まれる。
【００２２】
ガスで絶縁された送電線に関しては、産業条件下におけるガス状媒体の絶縁耐力、特に
金属粒子による汚染、スイッチの切り替えおよび雷によるインパルス、および速い過渡的
電気ストレスの下でのガス状誘電体のふるまいが最も重要である。また、これらのガスは
、伝導体からそれを囲うものへ熱を伝達する効率が高く、長期間（例えば４０年間）の間
安定である。これらのガスで絶縁された送電線は、はっきりした利点を提供する：費用効
果があること、高い送電力、低いロス、全ての電圧可変範囲における利用可能性、火災の
危険がないこと、信頼性、および高架送電線に関する公衆の心配を避ける、密集した地域
における高架高電圧送電線のコンパクトな代替物。
【００２３】
ガスで絶縁された変電所に関しては、変電所全体（サーキットブレーカー、遮断（ｄｉ
ｓｃｏｎｎｅｃｔｓ）、地絡スイッチ、母線、変圧器、などが相互に連結されている）が
本開示のガス状誘電性媒体により絶縁され、従って、誘電性ガスの上記で述べた特性の全
てが重要である。
【００２４】
高電圧設備におけるそれの使用に必要な誘電性ガスの特性は数多く、ガスおよび設備の
個別の用途に依存して異なる。
「固有の特性」は、ガスの物理的な原子または分子構造に本来備わっているガスの特性
である。これらの特性は、用途またはガスが配置される環境とは無関係である。ガス状誘
電体の望ましい特性の１つは、高い（例えば空気より高い）絶縁耐力である。高い絶縁耐
力に主に寄与するガスの特性は、電気的なストレスのかかった誘電性ガス中に存在する電
子の数を減らす特性である。電子の数密度のその減少をもたらすためには、ガスは：（ｉ
）負に帯電している（可能な限り広いエネルギー範囲にわたって、結合により電子を移動
させる）；電子は広い範囲のエネルギーを持っており、多くの用途におけるガスの温度は
周囲よりも高いため、それは好ましくは増大する電子エネルギーおよびガス温度での増大
した電子との結合を示すべきである；（ｉｉ）優れた電子減速特性を有する（電子を減速
することで、それらはより低いエネルギーで効率的に捕えられ、電子衝撃イオン化による
より多くの電子の生成を妨げることができる）；ならびに（ｉｉｉ）小さいイオン化断面
積および高いイオン化の開始を有する（電子衝撃によるイオン化を妨げる）べきである。
上記の特性の他にも、誘電性ガスのふるまいおよびその実際の性能の完全な特徴づけに必
要である多くの他の基本的な特性が存在し、これは例えば次のものである：二次的な過程
、例えばイオンおよび光子の衝撃による表面からの電子の放出；光過程；光イオン化放射
の吸収（これは不均一場での放電成長における制御因子である）；電子衝撃分解の下での
解離；イオン−分子反応；微量の不純物との反応；ならびに表面との反応。
【００２５】
誘電性ガスは次の化学的特性も持っていなければならない：高い蒸気圧；ガスの冷却の
ための高い比熱、高い熱伝導率；４００°Ｋより高い温度での長時間にわたる熱安定性；
伝導および絶縁物質に関する化学的安定性および不活性；不燃性；産業における暴露に関
して許容可能な毒性；ならびに非爆発性。混合物中で用いられる場合、それは混合物の均
一性、配合、および分離に適した熱力学的特性を持っていなければならない。
【００２６】
「固有でない特性」は、どのようにガスがその周囲と、または外的な影響に反応して相
互作用する可能性があるかを表す特性であり、例えば電気絶縁破壊および放電である。電
気的な用途において用いるため、誘電性ガスは：（大規模な分解が起こらない；重合に至
らない；炭素または他の沈着物を形成しない；ならびに金属、絶縁体、スペーサー、およ
び密封剤に対して非腐食性、および非反応性であるべきである。さらに、それは産業にお
ける用途に関して許容可能でない毒性を有する副産物を有しない；除去可能な副産物を有
する；およびそれ自体を再形成するため、特にアーク遮断のための高い再結合速度を有す
るべきである。最後に、ガスは環境に優しくなければならず、例えば、それは地球温暖化
に寄与してはならず、成層圏のオゾンを破壊してはならず、長時間の間環境に残存しては
ならない。
【００２７】
放電および絶縁破壊条件下でのガスの具体的な特性には、次のものが含まれる：均一お
よび不均一電場の下での高い絶縁破壊電圧；表面の粗さまたは傷および自由に動く伝導性
粒子に対して反応を示さないこと；実用条件下での優れた絶縁特性；優れた絶縁体フラッ
シュオーバーの特性；優れた伝熱の特性；優れた回復（電圧回復の速度）および自己治療
；湿気および一般的な不純物と有害な反応をしないこと；ならびに設備への、特にスペー
サーおよび電極の表面への有害な作用がないこと。
【００２８】
具体的な電気設備に関するガス状絶縁体の具体的な特性を下記に示す：
サーキットブレーカー−アーク遮断のために最も重要で必要とされるガスの特性は次の
ものである：（ｉ）ＳＦ６のそれと比較できる高い絶縁耐力；（ｉｉ）高い熱伝導性；（
ｉｉｉ）速いガスの回復；および自己治療／誘電完全性。
【００２９】
ガスで絶縁された送電線−必要とされる特性には次のものが含まれる：（ｉ）高い絶縁
耐力；（ｉｉ）使用時および周囲の温度における高い蒸気圧；（ｉｉｉ）化学的不活性；
（ｉｖ）高い熱伝導性；（ｖ）熱エージングがないこと；（ｖｉ）沈着物がないこと；（
ｖｉｉ）容易に除去できる、無害な副産物；および（ｖｉｉｉ）許容可能でないレベルの
危険（火災、爆発、毒性、腐食）がないこと。
【００３０】
ガスで絶縁された変圧器−この用途に必要とされるガスの特性には次のものが含まれる
：（ｉ）適当な圧力（例えば５００ｋＰａ）における高い絶縁耐力；（ｉｉ）低い沸点；
（ｉｉｉ）許容可能であるほどに低い毒性；（ｉｖ）化学的不活性；（ｖ）優れた熱安定
性；（ｖｉ）不燃性；（ｖｉｉ）高い冷却性能；（ｖｉｉｉ）固体物質との優れた共存可
能性；（ｉｘ）優れた部分放電の特徴；（ｘ）ある温度範囲にわたって使用可能であるこ
と；および（ｘｉ）取り扱いが安全、簡単で、安価かつ安全に入手できること。
【００３１】
本発明者らは、電気設備の用途における使用のための独特の一連の誘電性ガスを見いだ
し、これらはＳＦ６と関係する温室効果の問題を避ける前述の特性の多くを示す。その誘
電性化合物は、次の特性の少なくとも１種類を示す：
・約−２０℃〜約−２７３℃の範囲内の沸点
・オゾン破壊が少ない、好ましくは全くない
・約２２，２００より低いＧＷＰ
・負の標準生成エンタルピー（ｄＨｆ＜０）により判定される、化学的安定性
・その使用されているガスが設備から製造業者の明記する最大漏洩速度で漏れた際に、
有効希釈濃度がそれのＰＥＬを越えない、すなわち、その具体的な化合物のＰＥＬを越え
ないような毒性レベル。通常、約０．３体積ｐｐｍより大きい最小換気ＰＥＬが許容可能
である（すなわち、少なくとも約０．３ｐｐｍである職業暴露限界値（ＯＥＬまたはＴＬ
Ｖ））。ＯＨＳＡは労働者らを危険な物質への暴露の健康への影響に対して守るために強
制執行できる許容暴露限界値（ＰＥＬ）を設定した。ＯＨＳＡのＰＥＬは８時間の時間荷
重平均（ＴＷＡ）暴露に基づいている。おおよそ５００個のＰＥＬが確立された。既存の
ＰＥＬは空気汚染物質の基準である２９  ＣＦＲ  １９１０．１０００に含まれている。
ほとんどのＰＥＬは２９  ＣＦＲ  １９１０．１０００、表Ｚ−１、および２９  ＣＦＲ
１９１０．１０００、表Ｚ−２に載っている。
【００３２】
・空気よりも大きい絶縁耐力。
これらの独特の誘電性ガスは、下記の表１に示したガスからなるグループから選択され
る少なくとも１種類のガスである：
表１
【００３３】
【表１】
2014179328.tif 000002
【００３４】
【表２】
2014179328.tif 000003
【００３５】
【表３】
2014179328.tif 000004
【００３６】
【表４】
2014179328.tif 000005
【００３７】
【表５】
2014179328.tif 000006
【００３８】
【表６】
2014179328.tif 000007
【００３９】
【表７】
2014179328.tif 000008
【００４０】
【表８】
2014179328.tif 000009
【００４１】
【表９】
2014179328.tif 000010
【００４２】
好ましい誘電性化合物は、下記の表２に示したガスからなるグループから選択される：
表２
【００４３】
【表１０】
2014179328.tif 000011
【００４４】
【表１１】
2014179328.tif 000012
【００４５】
【表１２】
2014179328.tif 000013
【００４６】
【表１３】
2014179328.tif 000014
【００４７】
【表１４】
2014179328.tif 000015
【００４８】
【表１５】
2014179328.tif 000016
【００４９】
上記の誘電性化合物は純粋な形で用いられてよいが、共沸混合物の一部として、または
適切な第２のガス、すなわち窒素、ＣＯ２もしくはＮ２Ｏとの混合物として使用すること
もできる。
【００５０】
本開示による誘電性ガスに特に好ましい非電気的特性には、次のものが含まれる：
・液化しない、例えば−２０℃より低いＴｂｏｉｌ
・化学的に安定である−分解温度は設備におけるホットスポット温度より高くなければ
ならず、例えばＴｄｅｃ＝２００℃であり、かつガスは部分放電のスパーク（おおよそ１
０００°Ｋ）で分解するべきではない
・環境への影響が小さい、すなわち、オゾン層をほとんどないし全く破壊せず、ＯＤＰ
＝０である；および、地球温暖化への影響が小さく、ＧＷＰがＳＦ６より低い
・ガスおよび放電副産物の、許容できるほどに低い毒性。
【００５１】
本開示による誘電性ガスに必要とされる電気設備の特性には、次のものが含まれる：
・絶縁の具体的な基準がＥｃｒの臨界場を含んでおり、放電により伝導性の分解生成物
が生じるべきでない
・スイッチの切り替えの具体的な基準がＥｃｒの高い臨界場を含んでおり、アーク放電
において安定で、すなわちガスはスイッチの切り替えのアークで分解された後に再結合し
て元の分子構造にならなければならない（反応のギブズ自由エネルギーは＜０）
・具体的な熱遮断性能、すなわち、ａｃ電流ゼロにおいて電流を遮断することができな
ければならない
・設備およびガスからのアーク消耗による生成物は、伝導性沈着物を形成するべきでな
い
・音の速度が低い。
【実施例】
【００５２】
実施例１
可能性のある代替物の絶縁耐力の測定を、ＡＳＴＭ  Ｄ２４７７を用いて測定し、また
は文献から得た。これらの測定は、１気圧において、０．１ｉｎｃｈの間隙を横切って、
および周囲温度において実施した。
【００５３】
意図される用途において、ガスは１気圧ではなくより高い圧力にあるであろう。この実
施例において、最大圧力として５気圧を用いる。ガスがより低い圧力で液化する場合には
、その圧力を用いた。これらのガスは空気よりも高い絶縁耐力および絶縁破壊電圧を有す
る。より高い圧力として５気圧（７３．５ｐｓｉａ）を用いる（設備の評価）。
【００５４】
【表１６】
2014179328.tif 000017
【００５５】
実施例２
追加のガスの絶縁耐力を１気圧において、および最大システム圧力において測定する。
それらの絶縁破壊電圧は空気より高いことが分かり、これは空気を用いた場合に必要とな
るであろうよりも小さな間隙、従って小さな設備を可能とする。ここで、測定はＣＦＴＥ
（クロロトリフルオロエチレン）、ＨＣｌ（塩化水素）およびＳｉＦ４（四フッ化ケイ素
）上で実施した。
【００５６】
好ましい態様およびそれらの具体的な実施例への言及により本発明を詳細に記述したが
、本開示および特許請求の範囲の精神および範囲から逸脱することなく修正および変更が
可能であることは明らかであろう。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
五フッ化リン、四フッ化ケイ素、トランス−１，３，３，３−テトラフルオロプロペン（トランス−ＨＦＯ−１２３４ｚｅ）及び２，３，３，３−テトラフルオロプロペン（ＨＦＯ−１２３４ｙｆ）からなる群から選ばれる少なくとも１種の誘電性ガス状化合物である絶縁ガスによって絶縁される電気設備。
【請求項２】
前記誘電性ガス状化合物が共沸混合物である、請求項１に記載の電気設備。
【請求項３】
前記電気設備が、ガスで絶縁されたサーキットブレーカー、ガスで絶縁された電流遮断設備、ガスで絶縁された送電線、ガスで絶縁された変圧器、及びガスで絶縁された変電所からなる群から選ばれる電気設備である、請求項１又は２に記載の電気設備。
【請求項４】
電気設備を絶縁するための絶縁ガスの使用であって、前記絶縁ガスが、五フッ化リン、四フッ化ケイ素、トランス−ＨＦＯ−１２３４ｚｅ及びＨＦＯ−１２３４ｙｆからなる群から選ばれる誘電性ガス状化合物である、使用。
【外国語明細書】
2014179328000001.pdf